(57)【要約】【目的】マルチ画面を使ってプログラム内容を一覧表示し、それを選択する事によってプログラムを検索するため操作性がよく、インデックス信号によって検索を行うため検索回路の回路規模が小さく、安価に構成できる画像再生装置を提供する。【構成】インデックス信号によって区切られるプログラムの冒頭の画面を、記録回路により磁気テープの始端にマルチ画面として記憶しておき、プログラム検索時にこのマルチ画面を一覧表示する。マルチ画面に表示されたプログラムのうちの１つを選択し、テープの始端又は終点等の基準点からインデックス信号の数を数えることによって自動的に検索するように構成する。【選択図】　　　　図１４
2004005996.tif 000002
【特許請求の範囲】
【請求項１】
複数のプログラムが記録された記録媒体からプログラムを再生する再生装置において、前記各プログラムはインデックス信号によって区別されており、
各プログラムを一覧表示画面に表示する手段と、
前記一覧表示画面に表示されたプログラムのうちの１つを選択する手段とを備え、
前記一覧表示画面で選択したプログラムは、前記インデックス信号により再生するように構成したことを特徴とする再生装置。
【請求項２】
前記記録媒体は磁気テープであって、
前記磁気テープの正逆走行方向を判断する手段を更に備え、現在、前記基準点からのどの位置のプログラムにいるのかを判別するように構成したことを特徴とする請求項１記載の再生装置。
【請求項３】
複数のプログラムが記録された記録媒体からプログラムを再生する再生装置において、前記各プログラムには前記記録媒体上のある基準点からカウントされたタイムカウンタ値が記録されており、
各プログラムを一覧表示画面に表示する手段と、
前記一覧表示画面に表示されたプログラムのうちの１つを選択する手段とを備え、
前記一覧表示画面で選択したプログラムは、前記タイムカウンタ値に基づいて再生するように構成したことを特徴とする再生装置。
【請求項４】
複数のプログラムが記録された記録媒体からプログラムを再生する再生装置において、前記各プログラムはインデックス信号によって区別され、前記各プログラムには前記記録媒体上のある基準点からカウントされたタイムカウンタ値が記録されており、
各プログラムを一覧表示画面に表示する手段と、
前記一覧表示画面に表示されたプログラムのうちの１つを選択する手段とを備え、
前記一覧表示画面で選択したプログラムは、前記タイムカウンタ値に基づいて当該選択されたプログラム近傍まで検索し、前記インデックス信号により再生を行うように構成したことを特徴とする再生装置。
【発明の詳細な説明】
【０００１】
【産業上の利用分野】
本発明は、ビデオ、音声等の信号のディジタル記録再生装置（ディジタルＶＴＲ）に関するものである。
【０００２】
【従来の技術及び発明が解決しようとする課題】
従来、ディジタルＶＴＲにおいてテープの記録内容に関するデータをそのテープの始端部に記録するものとして特開平３−２１７１７９号公報に示すものがあった。以下、この従来例による磁気テープ上の記録フォーマットと磁気テープ全体の各記録信号の記録領域との配置を図１，図２において説明する。
【０００３】
図１は磁気テープ上の１トラック内の記録信号の配置を示したものであり、トラック開始部から順にビデオデータ、音声データ、サーボ・パイロット信号、サブコードの各領域に分割され、サブコード領域はさらにデータ検出用同期の領域（ＳＹＮＣ）、トラック番号等の領域（ＩＤ）、図形、文字データ等の領域（付加データ）、及び誤り訂正用の符号の記録領域（パリティー）に分割されている。
【０００４】
図２はテープ全体の各記録信号の記録領域の配置を示したもので（Ｐ１）、（Ｐ２）、から（Ｐｎ）はｎ個のビデオと音声のプログラムの記録領域、（Ａ１）、（Ａ２）から（Ａｎ）は上記ｎ個のプログラムの付加データの記録領域である。また、テープは幅方向にビデオデータ、音声データを記録する領域（Ｓ１）と付加データを記録する領域（Ｓ２）とに分割されるとともに、長さ方向に各プログラムの付加データを集めて記録する領域（Ａ）とそれ以外の通常記録領域とに分割される。再生時は領域（Ａ）から付加データを得ることで記録内容の情報を得る。
【０００５】
また、同様にテープの記録内容に関するデータをそのテープの始端部に記録する従来の実施例として、ＶＨＳ方式のアナログＶＴＲでは以下のものがあった。すなわち再生ビデオ信号の１画面をＡ／Ｄコンバーターによりディジタルデータに変換しこれをメモリに保持し、その際複数画面を保持する場合はこれら全部が１画面に入るよう各々の画面を縮小したうえでマルチ画面表示し、これをテープ開始部にインサート記録する。再生時はこのインサート記録した画面を再生し記録内容の情報を得る。
【０００６】
さらに、以上の２従来例から容易に想起される方法、すなわちディジタルＶＴＲにおいてテープに記録される各プログラムのビデオデータと音声データの一部をテープの始端部に各プログラムの記録フォーマットと同一のフォーマットで記録する方法もある。
【０００７】
特開平３−２１７１７９号公報の場合は以上のように構成されているのでテープ開始部では付加データしか再生できず、テープの大部分に記録されているビデオデータ，音声データ自体は全く確認できないことが問題であり、これらの確認を行うためには前記付加データをもとに当該データの記録位置までテープを走行させたうえで再生を行う必要があり手間と時間を要することも問題であった。また、従来のＶＨＳ方式での実施例ではテープ開始部ではビデオ信号の確認はできるが画面の数が増えると縮小画面になり見にくいうえ音声は確認できないことが問題であった。
【０００８】
また、ディジタルＶＴＲにおいて各プログラムのデータの一部を各プログラムの記録フォーマットと同一のフォーマットでテープ始端部に記録する方法では以下の問題がある。すなわち、一般に、ビデオ信号は１フレームまたは１フィールドでその内容が充分判別可能である一方、音声信号は上記ビデオ信号と同一時間、すなわち１／３０秒または１／６０秒ではその内容が全く判別出来ず、判別できるためには少なくとも数秒以上の時間を要する。また、テープ始端部のデータはできるだけ短時間に確認できることが望ましい。このため、ビデオ信号が確認できる条件で記録時間を設定すると音声信号が全く確認できないことが問題であり、音声信号が確認できる条件で記録時間を設定すると大半のビデオ信号が内容の確認を行うには無駄な記録となることも問題である。
【０００９】
以下、従来の磁気記録再生装置について、その構成を示す図３を参照して説明する。
近年、磁気記録再生装置に記録したプログラムの数及び内容はラベル等に記入しておくか、ユーザーが記憶しておかなければならなかった。以下従来の磁気記録再生装置でプログラムを検索する方法について説明する。まず、記録時の操作について説明する。記録時においては記録するプログラムの冒頭、特に再生時に検索したい部分にインデックス信号を記録する。インデックス信号は記録開始時には自動的に記録されるが、その他任意に記録可能である。
【００１０】
この場合、インデックス信号の記録はユーザーが操作部５１によってインデックス信号記録情報を入力する事により記録される。操作部５１からの操作情報が制御部５２に入力され、制御部５２はＣＴＬ信号処理回路５３を制御する。ＣＴＬ信号処理回路５３はＣＴＬ信号（各プログラムの冒頭のコントロール信号）のデューティー比をかえたインデックス信号を数秒間記録する。このようにして１本のテープをインデックス信号によって複数のプログラムに区分する事ができる。
【００１１】
次に検索方法について説明する。ユーザーは操作部５１の正逆方向のインデックス検索キーを操作する事によって検索を行う。例えば正方向のインデックス検索キーを押したとき、操作部５１より制御部５２に入力情報が送られ、制御部５２はモータドライブサーボ回路５４により走行機構部５５を制御し、テープを早送りする。この際再生されるＣＴＬ信号はインデックス判別回路５６に入力され、インデックス信号を発見すると制御部５２にインデックス発見信号を送る。制御部５２はインデックス発見信号を受けるとモータドライブサーボ回路５４及び再生回路５８を以下のように制御する。
【００１２】
モータドライブサーボ回路５４によって走行機構部５５は早送りを停止し、インデックス信号が記録されている部分まで巻き戻した後、再生モードとなる。再生モードとなると再生回路５８はヘッドから再生された信号を増幅し、元の映像信号に戻して出力する。これをＴＶ受像機６４に映し出す事によって検索は完了する。ここで、操作部５１よりユーザーが例えばインデックス検索キーを二回押せばインデックス信号が二回発見されるまで検索を行う事ができる。また逆方向のインデックスサーチについても同様に行い、巻き戻し方向に検索を行う。
【００１３】
また、上記以外にも以下のような検索方法が知られている。１つはＣＴＬ信号のデューティー比を細かく制御して番地情報とし、各プログラムの位置を絶対番地として表し、検索時もこの番地情報をユーザーが入力する事によりダイレクトにプログラムを検索できる方法である。もう１つはこれもＣＴＬ信号のデューティー比を細かく制御してリニアタイムカウンタ情報とし、記録時間をテープに記録しておき、検索時はプログラムの冒頭のカウンタ値をユーザーが入力することによりダイレクトにプログラムを検索できる方法である。
【００１４】
従来の磁気記録再生装置は以上のように構成されているので、ユーザーが見たいプログラムを検索する際、あらかじめ磁気テープの内容を記憶しておくか、ラベル等にプログラムの内容を記録しておき、それを見ながら検索を行うという動作が必要でありユーザーにかかる負担が大きいという問題があった。また、ダイレクトにプログラムを選択するように構成した場合、ＣＴＬ信号のデューティー比を細かく制御するため番地情報，リニアタイムカウンタ情報のエンコーダ及びデコーダが必要となり回路規模が大きくなり、価格的にも高価であるという問題があった。
【００１５】
近年、画像信号の記録再生を行う装置、例えばビデオテープレコーダは家庭または放送局に広く普及し同時に記録媒体であるカセットテープは一般家庭でも数多く使用されている。このためカセットテープの記録内容を確認し検索が行える簡単で便利な方法及び装置が求められている。従来、画像信号からマルチ画面を作り記録内容の確認と検索を行うことを目的とする装置として、特開昭６３ー４４７８号公報に開示された磁気記録再生装置があり、その構成及び動作について、次のように説明されている。
【００１６】
図４はこの従来の磁気記録再生装置を示すブロック図である。まず、記録時に記録開始時、特に再生時にテープ位置を検出したいテープ位置で操作部７１で番地設定し打ち込みスイッチを押す。操作部７１からのスイッチ情報，番地情報を制御部７２が入力しコントロール記録信号処理回路７４に番地情報に従った変換データを出力する。コントロール記録信号処理回路７４は制御部７２からの変換データに従いコントロール記録信号を磁気テープに記録する。
【００１７】
次に再生時には操作部７１で高速サーチボタンを押す。操作部７１からのボタン情報を制御部７２が入力し走行機構部７７を高速走行状態にするためにモータドライブサーボ回路７６に指令を出力する。走行機構部７７はサブローディング状態で高速走行を始める。高速走行時にもコントロール信号デューティ判別回路７３は再生されたコントロール信号を増幅波形整形してデューティ比を判別し番地情報があれば制御部７２に磁気テープに記録されている番地情報を出力する。
【００１８】
制御部７２は番地情報を入力すると走行機構部７７を再生状態にするためにモータドライブサーボ回路７６及び再生回路７５に指令を出力する。走行機構部７７が再生状態になるとモータドライブサーボ回路７６は再生コントロール信号に従ってキャプスタンモータ，シリンダモータ等のモータの制御をする。再生回路７５ではヘッドから再生された信号を増幅し、元の映像信号に戻しメモリ回路７９に出力する。制御部７２は画像情報が出力されてからメモリ制御回路８０にメモリ回路７９に画像情報と番地情報とを記憶する様指令を出力する。メモリ制御回路８０は制御部７２の指令に従いメモリ回路７９の一部分に画像情報と番地情報とを間引いて格納する様メモリ回路７９を制御する。一定時間再生させた後再び高速走行状態にする。
【００１９】
以上の動作を数回繰り返して数カ所の番地情報が記録されている位置の画像情報をメモリ回路７９に記憶する。１フィールド又は１フレームのメモリ回路７９全体に記憶されるか磁気テープの全てが終了したかどうかを制御部７２が検出し、検出したら磁気テープの始端に戻る様にモータドライブサーボ回路７６に指令を出力する。磁気テープが始端になったら、走行機構部７７を記録状態にする。
【００２０】
メモリ回路７９に記憶されている内容を磁気テープに記録する為に記録信号切換えスイッチ８４でメモリ回路７９と記録回路８２とを接続し、録再切換えスイッチ８３で記録回路８２とヘッドとを接続し記録する。次にテープ位置検索する場合、磁気テープの始端を再生映像信号をＴＶ受像機７８に映し出すと同時にメモリに記憶し画像情報と番地情報とによって次のテープ位置検索の番地を設定し高速走行させる。
【００２１】
制御部７２は設定番地と磁気テープに記録されている番地情報とが等しくなったら再生状態にする。再生状態になったら再生信号切換えスイッチ８１を切換えて、再生回路７５から出力される映像信号をＴＶ受像機７８に映し出す。再度テープ位置検索を行なう場合は再生信号切換えスイッチ８１を切換えてメモリ回路７９からの映像信号をＴＶ受像機７８に映し出しテープ位置検索の番地設定を行ない高速走行する。以上の様な動作を行ないテープ位置検索を行なう。
【００２２】
上述した従来の磁気記録再生装置は、記録済みの磁気テープにおいて手動操作でインデックス信号を追加記録した場所の画像信号を再生し、これよりマルチ画面を作るものであり、このためマルチ画面を作るためにはあらかじめ装置の使用者が映像信号を再生確認しながらインデックス信号を個別に記録する必要があり、作業が面倒であり時間もかかった。
【００２３】
また、他の公知の方法、すなわち記録の開始時にインデックッスを自動記録し、次に前記インデックスのある場所を順次再生してマルチ画面を作る方法では、予約録画を行った場合には放送の前後に通常はコマーシャル放送が含まれるためインデックスの記録される場所の大半がコマーシャル放送となり、このためマルチ画面の大半がコマーシャル放送の画面となり検索に使えないといった問題点があった。
【００２４】
また、カセットテープの記録内容を表示して検索を行う方法として、画像信号が記録された媒体のインデックス位置の画像をメモリに記憶した後、メモリの画像をモニタ画面に表示し検索に用いるものがあり、一例として特開昭６３ー１０２０９２号公報に次のように開示されている。
【００２５】
図５はこの従来の磁気記録再生装置を示すブロック図である。まず、記録時に記録開始時または特に再生時にテープ位置を検出したいテープ位置で操作部１０１の頭出し信号打ち込みスイッチを押す。操作部１０１からのスイッチ情報を制御部１０２が入力しコントロール記録信号処理回路１０４に頭だし信号書き込み指令を出力する。コントロール記録信号処理回路１０４はこの指令に従いデューティー比を変えたコントロール記録信号を磁気テープに記録する。
【００２６】
次に再生時には操作部１０１で高速サーチボタンを押す。そのときカウンタ１１２をリセットする。制御部１０２は操作部１０１からのスイッチ情報を入力し、走行機構部１０７を高速走行状態にするためにモータードライブサーボ回路１０６に指令を出力する。走行機構部１０７はサブローディング状態で高速走行を始める。高速走行時にもコントロール信号デューティー判別回路１０３は再生されたコントロール信号を増幅波形整形してデューティー比を判別し頭出し信号を検出したら制御部１０２に頭出し信号の有無を出力する。
【００２７】
制御部１０２は頭出し信号の有無を入力し頭出し信号があればまずそのときのカウンタ１１２からのテープカウント値を記憶して走行機構部１０７を再生状態にするためにモータードライブサーボ回路１０６及び再生回路１０５に指令を出力する。走行機構部１０７が再生状態になると、再生信号切り替えスイッチ１１１を再生回路１０５側に接続し、モータードライブサーボ回路１０６は再生コントロール信号に従ってキャプスタンモータ，シリンダモータ等のモータを制御する。
【００２８】
再生回路１０５ではヘッドから再生された信号を増幅し、元の映像信号に戻しメモリ回路１０９に出力する。制御部１０２は画像情報が出力されてからメモリ制御回路１１０にメモリ回路１０９に画像情報と番地情報とを出力するよう指令を出す。メモリ制御回路１１０は制御部１０２の指令に従いメモリ回路１０９の一部分に再生時の大画面の縮小画を記憶するようメモリ回路１０９を制御する。
【００２９】
図６はテレビ受像機での表示パターン図であり、この図の左上の部分ＡＤＲ．１に対応するメモリ回路１０９の一部分に記憶させる。メモリ回路１０９への書き込み終了後再度高速走行状態にし再生信号切り替えスイッチ１１１をメモリ回路１０９側と接続する。
【００３０】
以上の動作を数回繰り返して頭出し情報が記録されている位置の再生時の大画面の縮小画をメモリ回路１０９のＮ分割された一部分に順次記憶していく。同時にその時のカウンタ１１２からのテープカウント値を制御部１０２は記憶していく。メモリ回路１０９全体に記憶されるか磁気テープの全てが終了したかどうかを制御部１０２が検出し、検出したら磁気テープを停止させるようにモータードライブサーボ回路１０６に指令を出力する。この時の再生信号切り替えスイッチ１１１はメモリ回路１０９側に接続し、メモリ回路１０９からの映像信号が図６に示されるようにテレビ受像機１０８に映し出される。
【００３１】
次にテープ位置を検索する場合、テレビ受像機１０８に映し出されるメモリ回路１０９からの映像より次のテープ位置検索のＡＤＲ番号のスイッチを操作部１０１で押す。操作部１０１のスイッチ情報と制御部１０２で記憶しておいたテープカウント値とをもとにテープ位置の検索を行う。再生状態になったらスイッチ１１１を切り替えて再生回路からの信号をテレビ受像機１０８に映し出す。再度テープ位置検索を行う場合はスイッチ１１１を切り替えてメモリ回路１０９からの図６のような映像信号をテレビ受像機１０８に映し、画面上に示されたＡＤＲ番号を読み取りこの数字を操作部１０１に対し設定することで検索を行う。
【００３２】
上述した従来の磁気記録再生装置は以上のように構成されていたので、実際に検索を行うためには、画面より１桁から５桁程度のアドレスの数字を読み取る作業とこれを操作手段に入力する作業とが必要であり面倒であった。またマルチ画面の数が増えた場合、例えば子画面数１６の場合は少なくとも２桁の数字を画面から読み取り、操作部１０１から入力する必要があり面倒であるとともに、画面が小さくなったうえに数字の桁が増加するので数字に隠れて画像の見えない部分が多くなり見にくいため使い勝手が良くない点があった。
【００３３】
また他の公知例として、マルチ画面による検索先の指示方法として子画面の配列に一対一に対応する操作ボタンを用いる方法があるが、専用のボタンが必要でコストがかかるうえ画面数が多い場合はボタンの数が多くなり画面との対応がとりにくくなるといった問題点があった。
【００３４】
本発明の１つの目的は、長時間の記録がなされた場合でもそのテープの開始部に、付加データとともに各プログラムの特徴を表すビデオデータ及び音声データを確認可能な範囲で効率良く記録し、いわゆる画像と音声とによる目次を実現できる記録再生装置を提供することにある。
【００３５】
本発明の他の目的は、回路規模が小さくて、ダイレクトにプログラムを選択できる記録再生装置を提供することにある。
本発明の更に他の目的は、予約録画を含め、記録中のプログラムと既記録のプログラムとの両者について、使用者の手間及び時間をかけずに自動的にマルチ画面を作成し内容の確認と検索とを行うことができる記録再生装置を提供することにある。
【００３６】
本発明の更に他の目的は、検索情報の画面に重畳した文字，記号を見ながら簡単なボタン操作を行うことで殆どテレビ画面から目を離す事なく、その背景の画像と対応する記録部を容易に検索し再生できる記録再生装置を提供することにある。
【００３７】
【課題を解決するための手段】
本発明の第１の記録再生装置は、ビデオデータと音声データとを第１のフォーマットにて記録媒体にディジタル信号で記録する手段と、ビデオデータに対する音声データの割合が第１のフォーマットと異なる第２のフォーマットに切り替えて記録媒体にディジタル信号で記録する手段とを備える。
また、前記第２のフォーマットにおいて、ビデオ信号の１フィールドまたは１フレームに対応するビデオデータと、一定時間の音声信号に対応する音声データとを１プログラムとして記録するように構成したものである。
また、前記第２のフォーマットにて記録するデータとして、前記第１のフォーマットで記録されたプログラムに関連する図形または文字のデータを付加するように構成したものである。
また、前記第２のフォーマットにて記録するビデオデータまたは音声データとして、前記第１のフォーマットで記録されたプログラムのビデオデータまたは音声データを使用するように構成したものである。
即ち、通常の記録フォーマットである第１のフォーマットと、これとはビデオデータに対する音声データまたは付加データの割合が異なる第２のフォーマットとを切り替えて記録する手段と、第１のフォーマットと第２のフォーマットとを区別するための信号発生回路と、再生信号から第１のフォーマットと第２のフォーマットとを区別するフォーマット検出回路とを備える。
【００３８】
本発明の第２の記録再生装置は、一つの磁気テープに複数のプログラムを記録する記録再生装置において、各プログラムの冒頭のコントロール信号のデューティ比を変えたインデックス信号を記録する記録手段と、テープ上のある基準点からの各プログラムの記録されている順番を判断する手段と、各プログラムの冒頭の１画面を１画面を細分化したマルチ画面上に縮小して一覧表示する手段と、前記マルチ画面に表示されたプログラムのうちの１つを選択する手段と、前記基準点の位置を判断する手段と、インデックス信号をカウントする手段とを備え、前記マルチ画面で選択したプログラムを前記基準点からインデックス信号の数を数える事によって自動的に検索するように構成する。
本発明の第３の記録再生装置は、第２の記録再生装置において、テープの正逆走行方向判断手段を備え、現在、前記基準点からのどの位置のプログラムにいるのかを判別するように構成する。
【００３９】
本発明の第４の記録再生装置は、一つの磁気テープに複数のプログラムを記録する記録再生装置において、各プログラムの冒頭のコントロール信号をカウントして記録再生時間を表示する表示手段と、各プログラムの冒頭にインデックス信号を記録する記録手段と、テープ上のある基準点からカウントされた各プログラムの冒頭のリニアタイムカウンタ値を記憶する手段と、各プログラムの冒頭の１画面を１画面を細分化したマルチ画面上に縮小して一覧表示する手段と、前記マルチ画面に表示されたプログラムのうちの１つを選択する手段と、前記基準点の位置を判断する手段とを備え、前記マルチ画面で選択したプログラムを、前記基準点からのリニアタイムカウンタの値と、前記記憶されたプログラムの冒頭のリニアタイムカウンタの値とによって自動的に検索するように構成する。
【００４０】
本発明の第５の記録再生装置は、一つの磁気テープに複数のプログラムを記録する記録再生装置において、各プログラムの冒頭のコントロール信号をカウントして記録再生時間を表示する表示手段と、各プログラムの冒頭にインデックス信号を記録する記録手段と、テープ上のある基準点からカウントされた各プログラムの冒頭のリニアタイムカウンタ値を記憶する手段と、各プログラムの冒頭の１画面を１画面を細分化したマルチ画面上に縮小して一覧表示する手段と、前記マルチ画面に表示されたプログラムのうちの１つを選択する手段と、前記基準点の位置を判断する手段とを備え、前記マルチ画面で選択したプログラムを、前記基準点からのリニアタイムカウンタ値と、前記記憶されたプログラムの冒頭のリニアタイムカウンタ値とによって前記選択されたプログラムの冒頭の近傍まで検索し、その後前記選択したプログラムのインデックス信号を検出する事により、自動的に検索を行うように構成する。
【００４１】
本発明の第６の記録再生装置は、時計機能，インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、再生または高速走行時に前記インデックス信号を検出した後、所定の時間継続して走行を行い、その後画像情報を再生し前記メモリに記憶する制御手段とを備える。
【００４２】
本発明の第７の記録再生装置は、時計機能，予約録画機能，インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、放送音声モードが所定の音声モードに変化したときに自動的にインデックス信号の記録及び／または画像信号の前記メモリへの記憶を行う制御手段とを備える。
前記所定の音声モードは、ステレオモード、モノラルモード、２カ国語モードのうちの何れかである。
【００４３】
本発明の第８の記録再生装置は、インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、前記メモリのデータと記録または再生する画像信号のデータとから画像の相関を求める相関検出手段と、前記画像の相関が所定の値以下の場合にインデックス信号の記録及び／または画像信号の前記メモリへの記憶を行う制御手段とを備える。
【００４４】
本発明の第９の記録再生装置は、時計機能，予約録画機能，インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、予約録画を行う時間を前記マルチ画面の数以下の数で等分した時間ごとにインデックス信号の記録及び／または画像信号の前記メモリへの記憶を行う制御手段とを備える。
【００４５】
本発明の第１０の記録再生装置は、時計機能，インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、既記録プログラムの記録時間を前記マルチ画面の数以下の数で等分した時間ごとにインデックス信号の記録及び／または画像信号の前記メモリへの記憶を行う制御手段とを備える。
【００４６】
本発明の第１１の記録再生装置は、時計機能，予約録画機能，インデックス信号の記録及び再生機能を有する記録再生装置において、１フィールド又は１フレームの画像情報を記億するメモリと、画像情報を間引いて前記メモリの一部に書き込むことで複数の画像情報をマルチ画面として合成するメモリ制御手段と、予約録画を行う時間の数値を所定の時間値で除した商以上に前記マルチ画面の数を設定し、前記所定の時間ごとにインデックス信号の記録及び／または画像信号の前記メモリへの記憶を行う制御手段とを備えることを特徴とする記録再生装置。
【００４７】
本発明の第１２の記録再生装置は、１フィールド又は１フレームの画像情報を記億するメモリ手段と、画像情報を間引いてメモリの一部に書き込むことで複数の画像情報をマルチ画面として合成するメモリ制御手段と、既記録のプログラムの記録時間の数値を所定の時間値で除した商以上に前記マルチ画面の数を設定し、前記所定の時間ごとにインデックスの記録及び／または画像信号の前記メモリへの記憶を行う制御手段とを備える。
【００４８】
本発明の第１３の記録再生装置は、第６〜１２の記録再生装置において、予約録画機能を有し、予約録画の終了後に前記メモリ制御手段及び制御手段を動作させた後電源をオフとするように構成する。
【００４９】
本発明の第１４の記録再生装置は、画像信号の記録及び再生手段、インデックス信号の記録及び再生手段、フィールドまたはフレームメモリ、データメモリ、文字発生及び表示手段、制御用マイクロコンピュータ等を有する装置において、画像信号に重畳すべき文字を発生して重畳表示する手段と、画像信号に重畳された文字の画面上での位置データをもとに当該画像信号の記録部分に対し所定の動作を行う制御手段とを備える。
【００５０】
本発明の第１５の記録再生装置は、画像信号の記録及び再生手段、インデックス信号の記録及び再生手段、フィールドまたはフレームメモリ、マルチ画面作成手段、データメモリ、文字発生及び表示手段、制御用マイクロコンピュータ等を有する装置において、画像信号に重畳すべき文字を発生して重畳表示する手段と、マルチ画面を作成する手段と、マルチ画面の画像信号に重畳した文字の画面上での位置データをもとにマルチ画面の中の当該する子画面に対応する画像信号の記録部分に対し所定の動作を行う制御手段とを備える。
【００５１】
【作用】
第１の記録再生装置では、テープの第１のフォーマットの領域に記録された各プログラムのビデオ信号及び音声信号の特徴を表す部分をテープの開始直後の領域に、図形または文字データと同時に、第２のフォーマットで記録することで、第１のフォーマットの領域の各プログラムの記録内容の要約が短時間で得られる。
【００５２】
第２の記録再生装置では、マルチ画面を使ってプログラム内容を一覧表示し、それを選択する事によってプログラムを検索するため操作性がよく、インデックス信号によって検索を行うため検索回路の回路規模が小さく、安価に構成できる。
【００５３】
第３の記録再生装置では、一度マルチ画面を生成すれば現在テープ上のどのプログラムの位置にいるかわかるようにしたので、テープ上のどのプログラムの位置からでも検索でき、また何回でも検索できるようにしたので、操作性が向上する。
【００５４】
第４の記録再生装置では、マルチ画面を使ってプログラム内容を一覧表示し、それを選択する事によってプログラムを検索するため操作性がよく、ＣＴＬ信号をカウントするリニアタイムカウンタによって検索を行うため、非常に高精度な検索を行えるうえ、ＣＴＬ信号をカウントするリニアタイムカウンタの値を用いて検索を行うので検索回路の回路規模が小さく安価に構成できる。
【００５５】
第５の記録再生装置では、マルチ画面を使ってプログラム内容を一覧表示し、それを選択する事によってプログラムを検索するため操作性がよく、また、リニアタイムカウンタによってプログラムの近傍まで検索し、そのあとインデックス信号によって頭出しを行うので、高速検索時のインデックス信号の読みとばし，ＣＴＬ信号の読みとばしによるリニアタイムカウンタのずれにたいしても影響が少なくなり、非常に高精度な検索を行える。また、各プログラムの冒頭のカウンタ値は近傍までの検索しか行わなくて良いのでカウンタ値を記憶する手段のメモリを節約する事ができる。またインデックス信号とＣＴＬ信号をカウントするリニアタイムカウンタの値を用いて検索を行うので検索回路の回路規模が小さく安価に構成できる。
【００５６】
第６の記録再生装置では、複数の予約録画がされたカセットテープで、その予約録画の記録開始部にインデックスが記録されたものにおいて、これを再生しマルチ画面を作る場合にインデックスから一定時間後のテープ位置を再生しメモリに記憶することで放送の最初のコマーシャル画像を含まないマルチ画面を作ることができる。このためインデックスの打ち込み作業をすることなくマルチ画面が作成可能で、これによりカセットテープの整理と検索が容易となる。
【００５７】
第７の記録再生装置では、映画等の比較的長時間の放送番組を予約録画するときにその途中に何度かのコマーシャル放送が挿入され、しかも映画放送とコマーシャル放送の音声モードが例えばそれぞれ２カ国音声とステレオ音声のように異なる場合に所定の音声モードに放送が変化した時、即ちこの例では２カ国語モードに変化したときにインデックス信号を記録するもので、後でインデックス信号の記録場所を再生しマルチ画面を作ることで、正確にプログラムの開始場所の画像をマルチ画面にすることができる。また、予約録画と並行してインデックスの記録とマルチ画面の作成を行うことも可能で、画像メモリのデータを保持すれば、後刻メモリから即座にマルチ画面を表示できるので便利である。また、この場合記録を行う信号からマルチ画面を作るので、再生信号からマルチ画面を作る場合よりも画像信号の劣化が少なく画面が見やすい利点もある。
【００５８】
第８の記録再生装置では、記録又は再生を行う場合に画像信号の時間相関を求めこの値が所定の値より小さい場合は信号の内容が大きく変化した場所としてインデックスを記録する及び／または画像信号をマルチ画面に書き込むことで、映画のシーンの変わり目またはカメラ撮影のカットの繋ぎ場所の画像からマルチ画面を作ることができるので内容の正確な把握，編集作業が容易となる。
【００５９】
第９の記録再生装置では、放送番組を予約録画するときに、既定のマルチ画面の画面数全部を検索に使用するものであり、例えばマルチ画面の数が１２でありその録画時間が１時間であれば１時間を１２等分した５分ごとにマルチ画面に書き込むことで、予約録画により記録されたプログラムの内容がマルチ画面の縮小画面全部を使って表示されるので画面の数が最も多くなり分かり易く検索も容易である。
【００６０】
第１０の記録再生装置では、既記録のプログラムの検索に既定のマルチ画面の画面数全部を検索に使用するものであり、例えばマルチ画面の数が１２であり、既記録のプログラムの録画時間が１時間であれば１時間を１２等分した５分ごとにマルチ画面に書き込むことで、既記録のプログラムの内容がマルチ画面の縮小画面全部を使って表示されるので画面の数が最も多くなり分かり易く検索も容易である。
【００６１】
第１１の記録再生装置では、予約録画された放送番組のプログラムから一定時間ごとにマルチ画面に書き込みを行う場合に記録時間に応じてマルチ画面の画面数を変更するもので、画面数が一定の場合と比較すると、記録時間が長い場合はマルチ画面の画面数が不足することを無くせるうえ、記録時間が短い場合はマルチ画面の画面数を少なくできるので縮小画面が比較的大きく記録内容が確認し易く検索も容易である。
【００６２】
第１２の記録再生装置では、既記録のプログラムから一定時間ごとにマルチ画面に書き込みを行う場合にプログラムの時間に応じてマルチ画面の画面数を変更するもので、画面数が一定の場合と比較すると、記録時間が長い場合はマルチ画面の画面数が不足することを無くせるうえ、記録時間が短い場合はマルチ画面の画面数を少なくできるので縮小画面が比較的大きく記録内容が確認し易く検索も容易である。
【００６３】
第１３の記録再生装置では、予約録画を行った後の従来は電源がオフとなる空き時間に所定の手段で既記録のプログラムからマルチ画面の作成を行うもので、メモリの内容を保持すれば後刻装置を使用する際は即座にマルチ画面を利用できる。特に予約録画の記録とそれ以前の記録をあわせてマルチ画面を作成する場合または画面数が多い場合に時間節約効果が大きい。
【００６４】
第１４，　１５の記録再生装置では、テレビ放送の１番組などの画像信号（以下、プログラムという）を記録する場合、プログラムの記録開始時にプログラム検索を行うためのインデックスを同時記録し、プログラムの中では場面を検索するためのインデックス（以下、サブインデックスという）を記録する。インデックスの位置及びサブインデックスの数はデータメモリに記憶する。検索を行うための画像を作る場合、インデックス記録位置の画像をメモリに記憶しこれをテープ始端に記録する。複数インデックスがある場合、対応する複数の画像をテープ始端に記録する。検索を行う場合、テープ始端を再生して再生画像をメモリに記憶して画面表示し、これにデータメモリのデータを文字として重畳表示する。
【００６５】
１インデックスに対応する画面を表示した場合はそのプログラム中のサブインデックスの数と同数の文字を一列に表示しその中の一つを移動ボタンで選択することで検索と再生を行う。複数インデックス位置の画像を縮小して合成しマルチ画面表示したときは、マルチ画面の子画面の上に文字を表示することでその一つを選択し、移動ボタンで文字を移動して子画面を選ぶことで希望のプログラムを検索し再生する。このように、プログラムの検索が画面を見ながら文字の移動ボタンを操作するだけで容易に行える。また、インデックスの数が多い場合またはサブインデックスがある場合にも同一の操作で良く、従来例のようにボタンを増やしたり指定する番地の桁数を増やす必要がない。
【００６６】
【実施例】
以下、本発明をその実施例を示す図面に基づいて詳述する。
実施例１．
以下、本発明の一実施例を図について説明する。図７〜図９は本発明の装置の回路ブロック図であり、図１０，図１１は図７〜図９の装置における状態名とテープフォーマット、スイッチの接続の関係を示したものである。
【００６７】
第１のフォーマットでの記録を行う場合、図７〜図９の記録系１において入力端子２より入力されたアナログのビデオ信号はＡ／Ｄ変換器４でディジタル信号に変換され、高能率符号化回路３によりデータ量を低減された後、スイッチ４５を通り、誤り訂正符号付加回路５により、再生系２０で使用される誤り訂正符号が付加される。また入力端子６より入力されたアナログ音声信号はＡ／Ｄ変換器８によりディジタル信号にされ、スイッチ４６を通ったのち誤り訂正符号付加回路７により誤り訂正符号が付加される。
【００６８】
誤り訂正符号付加回路９には付加データ、すなわち入力端子１０から入力されたアナログ信号が２値化回路１２により２値画像化された図形データとなりデータ圧縮回路１３でデータ量が低減された信号、入力端子１４から入力された文字コード信号、入力端子１６から入力されたタイムコード信号等の信号、及びフォーマット切替回路３６からの指示でフォーマット検出信号発生回路３８から出されるフォーマットを示す信号が送られると同時に、切換スイッチ１１からの制御信号が送られる。ここで切換スイッチ１１は、データ圧縮回路１３及び入力端子１４からのデータを使用するかしないかの選択をおこなう。
【００６９】
また、フォーマット切替回路３６は記録するフォーマットが第１のフォーマットか第２のフォーマットかを切り替える回路であり、フォーマットに応じてマルチプレクサ１５が生成するデータ系列を切り替えると同時に、フォーマット検出信号発生回路３８がフォーマットを示す信号を発生するよう指示する。これらのデータには誤り訂正符号付加回路９において誤り訂正符号が付加され、その出力が誤り訂正符号付加回路５、及び誤り訂正符号付加回路７からの出力信号とともにマルチプレクサ１５に入力され第１の種類のトラックフォーマットに合うようにビデオデータ、音声データ、付加データの記録系列が生成され、記録符号化回路１７でテープ上に記録されるパターン信号に変換され、これが記録アンプ１９で増幅され、記録／再生スイッチ１８を経て、ヘッド２１により磁気テープＴに記録される。図１０，図１１に示すように、以上の状態をＭ１と表し、記録するフォーマットはＦ１、スイッチ４５とスイッチ４６とはどちらも端子ｃと端子ａとが接続される。またスイッチ４７，スイッチ４８，スイッチ４９、及びスイッチ５０の状態は不問である。
【００７０】
再生モードでは、図７〜図９において、まずヘッド２１により磁気テープＴに記録されたデータが読み取られ、記録／再生スイッチ１８を経て再生系２０においてヘッドアンプ２５に入力されて増幅され、データ復号回路２７に入力されディジタル信号に復号され、ＴＢＣ回路２９においてテープへの記録再生等で発生したジッタが除去されるとともにバイト同期がとられたディジタルデータとされ、ビデオ信号誤り訂正回路３１、音声信号誤り訂正回路３３、サブコード信号誤り訂正回路３５に各々入力される。
【００７１】
ビデオ信号誤り訂正回路３１においてはビデオデータの誤り訂正がおこなわれ、スイッチ４７を経てデータ伸長回路３２で圧縮前の信号に復元され、スーパーインポーズ回路３４に入力される。音声信号誤り訂正回路３３においては音声データの誤り訂正が行われ、スイッチ４８を経てＤ／Ａ変換器２２により音声信号に変換され、出力端子２６に送られる。
【００７２】
サブコード信号誤り訂正回路３５においてはサブコード信号の誤り訂正が行われ、付加データは図形データ伸長回路３９、または文字生成回路４１に送られ記録された付加データが復元されスイッチ４３におくられる。スイッチ４３は、スイッチ制御信号発生回路３７からの信号で開閉し付加信号をスーパーインポーズ回路３４においてビデオ信号に加算するか否かの切替えが行われる。スーパーインポーズ回路３４の出力はＤ／Ａ変換器２３でビデオ信号に変換され出力端子２４に送られる。
【００７３】
また、サブコード信号誤り訂正回路３５からは再生されたフォーマットを示す信号がフォーマット検出回路２８に送られ、磁気テープＴの記録が第１のフォーマットでなされたか第２のフォーマットでなされたかを判定し、その結果をＴＢＣ回路２９に送りディジタルデータのバイト同期をフォーマットに応じて自動的に切り替える。図１０，図１１に示すように、以上の状態をＭ２と表し、テープフォーマットはＦ１またはＦ２の自動切り替え、スイッチ４７とスイッチ４８とはどちらも端子ｃと端子ａとが接続される。またスイッチ４５，スイッチ４６，スイッチ４９、及びスイッチ５０の状態は不問である。
【００７４】
再生映像信号と再生音声信号とをメモリに書き込む場合は、図７〜図９における前記再生モードにおいてビデオ信号誤り訂正回路３１の出力のビデオデータがスイッチ４９を経てメモリ４０に書き込まれ、音声信号誤り訂正回路３３の出力の音声データがスイッチ５０を経てメモリ４２に書き込まれる。図１０，図１１に示すように、以上の状態をＭ８と表し、テープフォーマットはＦ１またはＦ２の自動切り替え、スイッチ４７とスイッチ４８とはどちらも端子ｃと端子ａとが接続され、スイッチ４９とスイッチ５０とはどちらも端子ｃと端子ｂとが接続され、スイッチ４５，スイッチ４６の状態は不問である。
【００７５】
第２のフォーマットでテープに記録する場合は、メモリに書き込まれたビデオと音声とのデータを読み出し記録するが、前記、通常の記録モードＭ１と以下の点が異なる。すなわち、図７〜図９において、高能率符号化回路３の出力は使用されず、ビデオデータがメモリ４０から読み出されスイッチ４５を経て誤り訂正符号付加回路５に入力され、また音声信号のＡ／Ｄ変換器８の出力は使用されず、音声データがメモリ４２から読み出されスイッチ４６を経て誤り訂正符号付加回路７に入力される。フォーマット切替回路３６は第２のフォーマットで記録するようマルチプレクサ１５及びフォーマット検出信号発生回路３８を切り替える。図１０，図１１に示すように、以上の状態をＭ１１と表し、テープフォーマットはＦ２であり、スイッチ４５とスイッチ４６とはどちらも端子ｃと端子ｂとが接続され、スイッチ４７，スイッチ４８，スイッチ４９、及びスイッチ５０の状態は不問である。
【００７６】
メモリに書き込まれたビデオと音声とのデータを読み出し再生する場合は、前記再生モードと以下の点が異なる。すなわち、図７〜図９において、ビデオ信号誤り訂正回路３１の出力は使用されず、ビデオデータがメモリ４０から読み出されスイッチ４７を経てデータ伸長回路３２に入力され、音声信号誤り訂正回路３３の出力は使用されず、音声データがメモリ４２から読み出されスイッチ４８を経てＤ／Ａ変換器２２に入力される。図１０，図１１に示すように、以上の状態をＭ１４と表し、テープフォーマットは関係なく、スイッチ４７とスイッチ４８とはどちらも端子ｃと端子ｂとが接続される。またスイッチ４５，スイッチ４６，スイッチ４９及びスイッチ５０の状態は不問である。
【００７７】
スイッチ制御回路４４は前出のスイッチ４５，スイッチ４６，スイッチ４７，スイッチ４８，スイッチ４９及びスイッチ５０の制御回路であり、装置の状態に応じて、各スイッチの端子ｃを端子ａまたは端子ｂのいずれかの端子に接続する。
【００７８】
図１０，図１１は本実施例の装置の動作モードと前記スイッチの状態及びテープフォーマットとの関係を示したものであり、既出のモードＭ１、モードＭ２、モードＭ８、モードＭ１１、モードＭ１４以外に、高能率符号化回路３の出力のビデオデータをメモリ４０に書き込むモードＭ３、音声のＡ／Ｄ変換器８の出力の音声データをメモリ４２に書き込むモードＭ４、Ｍ３とＭ４との複合モードＭ５、再生ビデオデータのみをメモリに書き込むモードＭ６、再生音声データのみをメモリに書き込むモードＭ７、ビデオデータのみメモリから読みだしテープに記録するモードＭ９、音声データのみメモリから読みだしテープに記録するモードＭ１０、メモリのビデオデータのみを読みだし再生するモードＭ１２、メモリの音声データのみを読みだし再生するモードＭ１３がある。
【００７９】
図１２，図１３は本実施例の装置によるテープフォーマットを示したもので、図１２（ａ）は第１の記録フォーマットＦ１であり、トラック開始部から順にビデオデータ、音声データ、サーボ・パイロット信号、サブコードの各領域に分割され、サブコード領域はさらにデータ検出用同期の領域（ＳＹＮＣ）、トラック番号等の領域（ＩＤ）、図形、文字データ等の領域（付加データ）、及び誤り訂正用の符号の記録領域（パリティー）に分割されている。ここで、（ＩＤ）にはフォーマットＦ１を表す信号が記録されている。
【００８０】
図１２（ｂ）は第２の記録フォーマットＦ２であり、図１２（ａ）とはビデオデータ、音声データ記録領域の長さが異なるとともに、（ＩＤ）にはフォーマットＦ２を表す信号が記録されている。上記第２のフォーマットＦ２は第１のフォーマットＦ１と比較し、ビデオデータの領域に対する音声データの領域の割合を多く設定したものである。
【００８１】
ここで、１フレームのビデオ信号をプログラムの特徴的な場面として記録する場合に、その信号のデータの量の計算例を示すと、１／３０秒のビデオ信号を１フレームとしこれをＹ信号、Ｒ−Ｙ信号、Ｂ−Ｙ信号をそれぞれサンプルレート１３．５ＭＨｚ、６．７５ＭＨｚ、６．７５ＭＨｚで各々８ビットでサンプリングした場合のデータ量は、
（１３．５Ｍ＋６．７５Ｍ＋６．７５Ｍ）×８ｂｉｔ÷３０＝７．２０　Ｍｂｉｔ
【００８２】
一方、１チャンネルの音声信号をサンプルレート４８ｋＨｚ、１６ビットでサンプリングした場合のデータ量は、その時間が１／３０秒、５秒では各々、
４８ｋ×１６ｂｉｔ×（１／３０）＝２５．６　ｋｂｉｔ
４８ｋ×１６ｂｉｔ×５＝３．８４　　Ｍｂｉｔ
となる。これらの数値をデータ量と考え、さらに磁気テープの同一面積には同一の量のデータが記録できるとして記録フォーマットを設定すればよく、ビデオデータに対するこれらの比をとれば
７．２０：０．０２５６＝２８１．２５：１
７．２０：３．８４＝１．８７５：　１
となる。
【００８３】
第１と第２のフォーマットは、１トラック中のビデオデータと音声データの記録領域の長さの比をそれぞれ上記の数値にしたものである。ここで、ビデオデータの量が高能率符号化回路３で大幅に低減する場合、あるいは音声系においてもデータの圧縮を行う場合は、これらを適用した後の各データ量の比を上記数値の代わりに適用すれば良い。
【００８４】
図１３はテープ全体の各記録信号の記録領域の配置を示したものであり、テープは長さ方向に第２のフォーマットＦ２の領域（Ａ）と、それ以後の第１のフォーマットＦ１の領域とに大別される。（Ａ）の始めには領域（Ｐ１´）と（Ａ１）とがあるが、（Ｐ１´）はプログラム（Ｐ１）の特徴を表す１場面のビデオ信号と音声信号を記録した領域であり、（Ａ１）はプログラム（Ｐ１）と対応する文字または図形による付加データを記録した領域である。以後の領域（Ｐｎ´）、（Ａｎ）も同様である。
【００８５】
図１３において、領域（Ａ）を本実施例の装置で作成する場合を説明すると、例えば第１のプログラムが領域（Ｐ１）に記録済みの場合、これを再生しモードＭ８の状態でビデオと音声のサンプルデータをメモリに書き込み、テープ開始部においてＭ１１状態によりインサート記録を行う。その際、入力端子１０または入力端子１４から付加データを入力し、これを同時に記録する。以上を各プログラム対し適用することで図１３の領域（Ａ）が記録される。
【００８６】
本実施例１では、長時間の信号が記録可能なＶＴＲにおいて、テープの開始部からそのテープに記録された各プログラムを代表するビデオ、及び音声信号と、付加データによる内容の確認、検索情報が得られるので書籍の目次と同様の大きな便益が得られる。
【００８７】
実施例２．
以下、本発明の他の実施例についてその構成を示す図１４を参照して説明する。図１４において、図３と同一部分には同一番号を付す。また、図１５は、マルチ画面の表示の一例である。
【００８８】
１本のテープをインデックス信号によって複数のプログラムに分ける方法は従来例と同じであり説明を省略する。本実施例ではまず前記テープの各プログラムの冒頭をマルチ画面に表示する事により始まる。以下、マルチ画面の作成方法について説明する。マルチ画面の作成方法についてはいろいろな方法が考えられるが、例えばテープ終端より検索を開始してインデックス信号を検索し、プログラムの冒頭の画面を再生回路５８にて縮小し、メモリ制御回路６０でメモリ５９をコントロールしてこの縮小画面をメモリ５９に記憶し、テープ始端までこれを繰り返す事によって作成できる。このとき検知されたプログラムはテープの終端からの順番でメモリ５９に記憶されるが、テープの始端を検知した点で順番を逆にするようにメモリ制御回路６０で制御する。
【００８９】
これによりマルチ画面上の各プログラムがテープ始端より何番目に当たるかが判断できる。このマルチ画面は例えばテープ始端に記録しておき、次回からはこれを再生する事によりマルチ画面を表示する事ができる。記録する場所はテープの始端または終端が考えられるが、実際にはテープに記録されたプログラムの１番目はほとんどがテープの始端から始まるものであり、例えばテープの途中までしか記録されていない場合等を考えると終端にマルチ画面を記録した場合、始端と比べて検索時間が長くなる場合が多いと考えられる。
【００９０】
次にテープの基準点について述べる。基準点はいかようなテープを挿入した場合においても存在する点、たとえばテープの始端または終端が考えられる。前述と同様に実際のテープの記録内容を考慮して、本実施例では始端を基準点とする。例えば前記マルチ画面生成時にテープ始端まで検索したとき、またはテープ始端に記録されたマルチ画面の再生時にテープの始端を走行機構部５５にて検知し、制御部５２に情報が送られ、制御部５２は今テープの基準点であると判断する。
【００９１】
次にマルチ画面の記録動作について説明する。マルチ画面の記録を制御するのは制御部５２である。以下制御部５２の制御動作について述べる。メモリ５９に記憶されたマルチ画面は、記録切り替えスイッチ６１を切り替える事により記録回路６２に入力される。記録信号は記録再生切り替えスイッチ５７を記録側に切り替える事によって磁気テープに記録される。この際、モータドライブサーボ回路５４は走行機構部５５をコントロールして磁気テープの始端から記録するように制御する。
【００９２】
次に検索動作について説明する。まずマルチ画面を表示する。操作部５１よりユーザーからの検索操作情報が制御部５２に入力される。制御部５２はモータドライブサーボ回路５４、再生回路５８、メモリ制御回路６０を以下のように制御する。モータドライブサーボ回路５４によりテープは始端まで巻き戻され再生される。再生回路５８はこれをメモリ５９に送信し、メモリ５９はメモリ制御回路６０によって制御され、マルチ画面を記憶する。さらに前記記憶されたマルチ画面をメモリ５９より読み出してＴＶ受像機６４に表示する。
【００９３】
ユーザーは例えば図１５のようなマルチ画面を見て、見たいプログラムの縮小画面を選択し操作部５１より入力する。入力方法は縮小画面に割り当てられた数字でも良いし、また数字を表示しないならば選択された縮小画面の外枠を例えば図１５中のプログラムＮｏ２のように他と異なるようにして特定し、選択するようにしても良い。
【００９４】
以下例をあげて説明する。例えば今プログラムＮｏ２を選択したとする。操作部５１より選択情報は制御部５２に入力され、制御部５２はインデックス検索モードとなる。今マルチ画面を表示した場合は、基準点であるテープの始端にいる。ここよりプログラムＮｏ２を検索するときはインデックスが２回見つかるまで早送り方向に検索を行えば良い。検索方法については前述の従来例と同様である。また、プログラムＮｏが何番であっても同様に検索を行う事ができる。
【００９５】
実施例３．
実施例２では検索を行う際、基準点から検索を開始して再生されたインデックス信号を数える事によって選択されたプログラムＮｏを検索する。つまり検索を行うためには必ず基準点に一旦戻らなければならない。本実施例３では制御部５２において、検知したインデックス信号の数とそのときのテープの回転方向によってテープの基準点から何番目のプログラムを再生しているかを判断する。これによって一度マルチ画面を生成すれば、そのテープを取り出すまでテープのどこからでも、また何度でもマルチ画面によるプログラムの頭出しができる。
【００９６】
例をあげて説明する。例えばいまプログラムＮｏ２を検索したとする。ユーザーは再生画像を見続け、プログラムＮｏ３の途中まで見たとする。このとき制御部５２は再生中にプログラムＮｏ３の冒頭でインデックス信号を検知する。制御部５２はテープが正方向回転でインデックス信号を検知したのでプログラムがＮｏ２からＮｏ３に移ったと判断する。また、プログラムＮｏ３の途中でユーザーが巻き戻しなどを行い、プログラムＮｏ１まで戻ったとする。制御部５２は逆方向回転でインデックス信号を２回検知するのでプログラムがＮｏ３からＮｏ１に移ったと判断する。ここでユーザーがメモリ５９よりマルチ画面を出して検索を行った場合、例えばプログラムＮｏ４を選択すれば、制御部５２は正方向にインデックス信号が３回見つかるまで検索を行う。このように、制御部５２で今プログラムの何番目にいるのかを常に判断する事によってテープのどこからでも、また何度でも検索を行う事ができる。
【００９７】
実施例４．
以下、本発明の実施例４についてその構成を示す図１６を参照して説明する。図１６において、図３，図１４と同一部分には同一符号を付す。また、図１７は、実施例４におけるリニアタイムカウンタ記憶部６６の記憶内容の一例である。
【００９８】
マルチ画面を生成する方法及びテープの基準点がテープの始端である事は実施例２と同様であるので説明を省略する。本実施例ではマルチ画面を生成する際、各プログラムの冒頭のリニアタイムカウンタ値をリニアタイムカウンタ記憶部６６にて記憶する。このときに重要なのはテープの基準点である始端で一旦リニアタイムカウンタをリセットしてからマルチ画面を作成する事である。これによりこのカウンタ値はテープの始端からの記録時間を表示するものとなる。
【００９９】
以下、リニアタイムカウンタ値の記憶動作について説明する。操作部５１からユーザーからのマルチ画面表示操作情報が制御部５２に入力される。制御部５２はモータドライブサーボ回路５４により走行機構部５５のテープを始端まで巻き戻し、リニアタイムカウンタ表示部６５をリセットすると共に実施例２と同様にマルチ画面を作成する。ここで、インデックス信号を検出してプログラムの冒頭の画面を縮小したときのカウンタ値をリニアタイムカウンタ記憶部６６にて記録する。
【０１００】
リニアタイムカウンタ記憶部６６には一例として図１７のような各プログラムの冒頭のリニアタイムカウンタ値が記憶される。この例では一本のテープに記憶できるプログラム数は７プログラムであるが、増やしたい場合はメモリの使用量によって変更すれば良い。本実施例ではメモリにカウンタ情報を記憶しているが、マルチ画面と同時にテープの始端に記録しておき、マルチ画面再生時にリニアタイムカウンタ記憶部６６に記憶するようにしても良い。
【０１０１】
また既存の磁気記録再生装置であるＤＡＴ等ではテープ管理も行っている。これは、図１７中のアドレス０Ｅ、０Ｆの様にテープＮｏ，そのテープに記録されているプログラム数，記録年月日などを記憶させれば対応できる。この場合現在挿入されているテープ自身にテープＮｏの情報が必要である。テープの識別方法は例えばテープにテープＮｏ情報を記録したり、テープに識別ラベルを貼ってそれを読みとる方法などがあり、これも適用できる。
【０１０２】
次に検索動作について説明する。本実施例ではマルチ画面を表示する際、テープの基準点である始端を検知したとき、同時にカウンタリセットを行う。検索したいプログラムＮｏの選択方法は実施例２と同じなので説明を省略する。今、プログラムＮｏ２が選択されたものとする。操作部５１よりの選択情報は制御部５２に入力され、制御部５２はプログラム検索モードとなる。制御部５２はリニアタイムカウンタ記憶部６６からプログラムＮｏ２の冒頭のカウンタ値を読み出す。次にモータドライブサーボ回路５４により走行機構部５５を制御し、テープを早送りする。
【０１０３】
リニアタイムカウンタ表示部６５は早送り中もＣＴＬ信号をカウントする事によりリニアタイムを表示する。カウンタ値は制御部５２にも入力され、前記読み出したプログラムＮｏ２の冒頭のカウンタ値と現在カウントしているリニアタイムカウンタ値が同じになる点から再生を開始するように走行機構部５５を制御し、再生が始まった時点で検索は完了する。また、プログラムＮｏが何番であっても同様に検索を行う事ができる。
【０１０４】
実施例５．
実施例５における磁気記録再生装置の構成は、図１６に示した実施例４と同じである。図１８は実施例５におけるリニアタイムカウンタ記憶部６６の記憶内容の一例である。
【０１０５】
まず本実施例の概要について述べる。本実施例はリニアタイムカウンタ値でプログラムの近傍までサーチし、そのあとインデックス信号によって頭出しを行う。このようにすればリニアタイムカウンタ記憶部６６に記憶されるデータは例えば図１８のように記憶容量を減らして秒の位を１０秒単位にしても正確に頭出しを行う事ができる。また、高速検索時のインデックス信号の読みとばし、または、ＣＴＬ信号の読みとばしによるリニアタイムカウンタのずれにたいしても影響が少なくなる。
【０１０６】
次に動作について説明する。マルチ画面を生成する方法は実施例４と同様であるので説明を省略する。本実施例ではリニアタイムカウンタ記憶部６６に記憶されるカウンタ値は前述のように秒の桁は１０秒単位でよいが、このときのカウンタ値は例えば必ずインデックス信号の前の値になるように統一する。
【０１０７】
次に検索動作について説明する。検索したいプログラムＮｏの選択方法は実施例４と同じなので説明を省略する。今、プログラムＮｏ２が選択されたものとする。操作部５１より選択結果は制御部５２に送信され、制御部５２はプログラム検索モードとなる。次に検索動作に入るが、これも実施例４と同じなので一部説明を省略する。
【０１０８】
制御部５２はリニアタイムカウンタ記憶部６６から読み出されたカウンタ値と現在のカウンタ値とが一致する点から再生されるように走行機構部５５を制御する。インデックス信号は必ずこのカウンタ値よりも後に記録されているので、再生後１０秒以内にインデックス信号がある。再生ＣＴＬ信号はインデックス判別回路５６に入力され、インデックス信号を検知するとインデックス発見信号を制御部５２に送り、制御部５２は再生回路５８及び出力切り替えスイッチ６３を再生モードにすることにより検索は完了する。また、プログラムＮｏが何番であっても同様に検索を行う事ができる。
【０１０９】
本実施例では１０秒単位までリニアタイムカウンタで検索を行ったが、例えば分単位にしても同様な効果がある。この場合走行機構部５５が再生モードになってからインデックス信号が発見されるまで最大１分かかり、検索時間が長くなるので、現在のリニアタイムカウンタ値がリニアタイムカウンタ記憶部６６のカウンタ値と同じになっても早送りのままインデックス検索モードに切り替え、後は実施例２のように頭出しを行う。
【０１１０】
実施例６．
実施例６における磁気記録再生装置の構成は図１９に示す通りである。テープに記録を行うときは記録信号選択スイッチ８５により入力信号が外部入力端子９１からの信号であるか、テレビ放送用の受信回路９２からの信号であるか、画像信号メモリ回路７９からの出力信号がスイッチ８６を通りスーパーインポーズ回路９３を経た信号であるかを選択し、その出力が記録回路８２に入力され、ここで磁気テープに記録する信号に変換され録再切り替えスイッチ８３を通り、走行制御部７７のヘッドに供給されテープに記録される。制御部９５はモータドライブサーボ回路７６を制御して走行制御部７７のモーターを駆動しテープの記録走行を開始するとともにテープ走行の速度制御の基準信号であるコントロールパルスを発生する。
【０１１１】
プログラムデータメモリ回路９４のデータ及び制御部９５から随時発生するインデックス信号はデータマルチプレクサ９６において時系列に多重され、コントロール記録信号処理回路７４にてコントロール信号にデューティーの変化として重畳され走行制御部７７のコントロールヘッドにてテープに記録される。ここで、プログラムデータメモリ回路９４のデータはカセットテープ番号、プログラム数、記録日時、放送チャンネル、分類、記録開始アドレス、文字コード等である。データマルチプレクサ９６はプログラムデータメモリ回路９４のデータの一部と制御部９５からのインデックス信号を所定のフォーマットで時間多重する。
【０１１２】
本実施例の磁気記録再生装置ではテープが記録走行を開始した直後に制御部９５はインデックス信号を発生し上記方法でテープに記録する。プログラムが記録されたテープから制御部９５が検索を目的としたマルチ画面を作る手順が本実施例において特徴的であるので、制御部９５の制御手順をフローチャートとして表記した図２０を併用し以下に詳述する。
【０１１３】
プログラムの記録がなされたテープについて、制御部９５はモータドライブサーボ回路７６により走行制御部７７を駆動し、プログラムの頭部又はテープの始端までテープを巻戻す（Ｓ１）。巻戻しの終了は、プログラムの頭部のインデックス信号あるいはテープ始端のリーダーテープを検出して行う（Ｓ２）。その後、再生または高速走行を行い（Ｓ３）、走行制御部７７のコントロールヘッドからの信号が、コントロール信号デューティー判別回路７３に入力され、ここで、インデックス信号の検出を行う（Ｓ４）。
【０１１４】
インデックス信号が検出されると制御部９５はタイマー回路９８のなかの走行時間タイマーをリセット後カウントを開始させる（Ｓ５）。走行時間タイマーの出力ｔを所定の値ａと比較し（Ｓ６）、それ以上になったとき制御部９５は装置を再生モードとし（Ｓ７）、走行制御部７７のヘッドからの信号は録再切り替えスイッチ８３を経て再生回路７５に入力され、ここで画像信号に変換されて出力され、スイッチ８６を通り、スーパーインポーズ回路９３においてプログラムデータメモリ回路９４からのデータに対応する文字パターンを画像信号として付加された信号となる。この信号がテレビ受像機７８に出力されるとともに画像信号メモリ回路７９に記憶される（Ｓ８）。
【０１１５】
ここで定数ａはインデックス検出部とメモリに記憶する画像をサンプルする場所のテープ上での時間差を設定するもので、その目的はコマーシャルを避けてマルチ画面を作ることである。具体的には放送プログラムを予約録画したテープからマルチ画面を作る場合を考えると、放送プログラムの開始時は大半がコマーシャル画像であるので、記録開始と同時にインデックスを自動記録し、再生時にインデックスを検出してからも所定の時間をテープ走行を行った後の画像信号をメモリに記憶しマルチ画面を作ることで、前記コマーシャル画像を避けることができる。
【０１１６】
さらに番組のタイトル画像をマルチ画面にすることも、定数ａの値を放送プログラムに応じて適宜設定することで可能であり、このため従来必要であったインデックスの打ち込み作業が不要となり、検索を目的としてマルチ画面を作るときの手間を大幅に簡略化できる。画像信号をメモリに記憶する際、メモリ制御回路８０は画像信号のメモリへの書き込みデータを間引くことで画像信号を縮小記憶させる。
【０１１７】
この後、再度テープを走行中にインデックスを検出した場合、メモリ制御回路８０は再生画像信号を画像信号メモリ回路７９の異なるアドレスに記憶させることでマルチ画面を構成する。このアドレスの全てに画像が記憶されるか（Ｓ９）テープの信号記録区間が終了したとき（Ｓ１０）、制御部９５はテープをプログラムの頭部又はテープの始端まで巻戻し（Ｓ１１）、マルチ画面の作成を終了する。ここで、テープの記録区間の終了は、コントロール信号の有無または再生信号の中の映像同期信号の有無を検出する等の公知の方法で行う。
【０１１８】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばテープ始端部に記録することで何度でも再生して利用できる。マルチ画面表示からプログラムの検索を行うには、公知の方法、例えば番号表示のある画面を指定するとテープ始端から数えてその番号の順番のインデックスまで高速走行を行うことで容易に行える。
【０１１９】
図２１は実施例５における画面を示す図で、図２１（ａ）はプログラムデータメモリ回路９４のデータの一部を一覧表示したもので、メモリのデータの一部をカセット番号ごとに行表示したもので複数のカセットテープから希望のプログラムを含むカセットを選択するために用いられる。画面上では４本のカセットのデータが表示され、表示項目は左よりカセット番号、記録日付、分類、文字データである。
【０１２０】
図２１（ｂ）はマルチ画面の表示であり、１から１２までの番号の付与された画面領域は各々がカセットテープに記録済みのプログラムの画像信号の一部であり、この一覧表示から希望のプログラムの画面を選択することでプログラムの検索を行う。図中では第６番目の子画面が選択されており、この状態で検索を行うとテープ始端より第６番目のインデックス位置までテープが送られる。下欄の文字はプログラムデータメモリ回路９４のデータの一部をスーパーインポーズ回路９３において画像信号に重畳したもので、マルチ画面に加えて文字情報を表示することで検索の便宜を図るものである。
【０１２１】
実施例７．
実施例７の磁気記録再生装置の構成は図２２に示す通りであり、テープに放送信号を記録するときは記録信号選択スイッチ８８によりテレビ放送用の受信回路９２からの信号か、画像信号メモリ回路７９からの出力信号がスイッチ８６を通りスーパーインポーズ回路９３を経た信号かを選択し、その出力が記録回路８２に入力され、ここで磁気テープに記録する信号に変換され録再切り替えスイッチ８３を通り、走行制御部７７のヘッドに供給されテープに記録される。制御部９５はモータドライブサーボ回路７６を制御して走行制御部７７のモーターを駆動しテープの記録走行を開始するとともにテープ走行の速度制御の基準信号であるコントロールパルスを発生する。
【０１２２】
プログラムデータメモリ回路９４のデータ及び制御部９５から随時発生するインデックス信号はデータマルチプレクサ９６において時系列に多重され、コントロール記録信号処理回路７４にてコントロール信号にデューティーの変化として重畳され走行制御部７７のコントロールヘッドにてテープに記録される。ここで、プログラムデータメモリ回路９４のデータはカセットテープ番号、プログラム数、記録日時、放送チャンネル、分類、記録開始アドレス、文字コード等である。データマルチプレクサ９６はプログラムデータメモリ回路９４のデータの一部と制御部９５からのインデックス信号とを所定のフォーマットで時間多重する。
【０１２３】
テレビ放送用の受信回路９２はテレビ放送の画像信号と同時に音声信号の復調を行うが、このとき放送音声のモードがモノラル、ステレオ或は２カ国語等のいずれであるかを検出して出力し制御部９５に送る。放送の音声モード例えばニュースはモノラル、ミュージカルはステレオ、外国映画は２カ国語等は１つのプログラムの中では通常は一定であり、これが変化するのは放送の前後の解説またはコマーシャル放送の前後が大半である。一方、タイムシフトを目的として放送を記録する場合コマーシャル放送を含めて記録することが多く、このため記録開始時点の画像は検索を目的とするマルチ画面に使用できないが、外国映画を例にとると、音声モードが２カ国語モード以外から２カ国語モードになった時点が映画のプログラムの開始時点であり、ここからマルチ画面を作れば良い。
【０１２４】
プログラムの記録中または再生中に制御部９５が検索を目的としたマルチ画面を作る手順が本実施例に特徴的であるので、制御部９５の制御手順をフローチャートとして表記した図２３を併用し以下に詳述する。ここで、３つの手順、
１．記録中にインデックスの記録とマルチ画面の作成を行う
２．記録中にインデックスの記録を行い、再生時にインデックス位置の再生画像からマルチ画面の作成を行う
３．再生中にインデックスの記録とマルチ画面の作成を行う
があり、そのうち第２の手順におけるマルチ画面の作成方法は公知であり、それ以外の説明を図２３で共通に行う。
【０１２５】
第１の手順はマルチ画面を記録信号から作成するので再生信号から作る場合よりも画像の質が良くなる利点があり、第２の手順ではインデックスの有無及び場所を確認した後マルチ画面を作成することが可能であり放送の音声モードが不明な場合に都合が良く、第３の手順では複数回に渡って記録されたプログラムから１つのマルチ画面を作る場合に適する。これらは使用者が適宜選択できるものとし、この選択に応じてメモリ入力切り替えスイッチ８７でマルチ画面のソース信号を記録信号とするか再生信号とするかを切り替える。
【０１２６】
マルチ画面を作る場合、まず最初にインデックスを記録する音声モードを設定する（Ｓ２１）、次に記録または再生を行い（Ｓ２２）、音声モードの変化を検知する（Ｓ２３）。制御部９５は記録時は受信回路９２からの音声モード信号によりその変化を検知し、再生時は例えばコントロール信号に重畳記録された音声モードデータの変化で検知する。音声モードが所定のモードに変化したとき、インデックス信号を記録する及び／または画像信号をメモリに縮小記憶する（Ｓ２４）。メモリ全てに画像が記憶されるか（Ｓ２５）、テープの信号記録区間が終了するか（Ｓ２６）、記録または再生の終了したとき（Ｓ２７）、制御部９５はインデックスを記録する及び／または画像信号をメモリに縮小記憶することを終了する（Ｓ２８）。
【０１２７】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばテープ始端部に記録することで何度でも再生して利用できる。マルチ画面表示からプログラムの検索を行うには、公知の方法、例えば番号表示のある画面を指定するとテープ始端から数えてその番号の順番のインデックスまで高速走行を行うことで容易に行える。
【０１２８】
以上説明を行った実施例７の磁気記録再生装置の表示画面は、実施例６の磁気記録再生装置の表示画面である図２１と同様であり、その構成、機能の説明も同様である。
【０１２９】
実施例８．
実施例８の磁気記録再生装置の構成は図２４に示されるもので、テープに記録を行うときは記録信号選択スイッチ８５により入力信号が外部入力端子９１からの信号であるか、テレビ放送用の受信回路９２からの信号であるか、画像信号メモリ回路７９からの出力信号がスイッチ８６を通りスーパーインポーズ回路９３を経た信号であるかを選択し、その出力が記録回路８２に入力され、ここで磁気テープに記録する信号に変換され録再切り替えスイッチ８３を通り、走行制御部７７のヘッドに供給されテープに記録される。制御部９５はモータドライブサーボ回路７６を制御して走行制御部７７のモーターを駆動しテープの記録走行を開始するとともにテープ走行の速度制御の基準信号であるコントロールパルスを発生する。
【０１３０】
プログラムデータメモリ回路９４のデータ及び制御部９５から随時発生するのインデックス信号はデータマルチプレクサ９６において時系列に多重され、コントロール記録信号処理回路７４にてコントロール信号にデューティーの変化として重畳され走行制御部７７のコントロールヘッドにてテープに記録される。ここで、プログラムデータメモリ回路９４のデータはカセットテープ番号、プログラム数、記録日時、放送チャンネル、分類、記録開始アドレス、文字コード等である。データマルチプレクサ９６はプログラムデータメモリ回路９４のデータの一部と制御部９５からのインデックス信号を所定のフォーマットで時間多重する。
【０１３１】
メモリ入力切り替えスイッチ８７により選択された信号は画像信号メモリ回路７９及び画像相関検出回路９７に入力される。画像信号メモリ回路７９に入力された画像はメモリ内の未記億領域に記憶され、１フレーム後に画像相関検出回路９７に出力される。画像相関検出回路９７はメモリ入力切り替えスイッチ８７からの信号と画像信号メモリ回路７９からの信号のテレビ画面上の同一画素信号の相関を求めて、その値を制御部９５に送る。
【０１３２】
プログラムの記録中または再生中に制御部９５が検索を目的としたマルチ画面を作る手順は本実施例に特徴的であるので、制御部９５の制御手順をフローチャートとして表記した図２５を併用し以下に詳述する。ここで、３つの手順、
１．記録中にインデックスの記録とマルチ画面の作成を行う
２．記録中にインデックスの記録を行い、再生時にインデックス位置の再生画像からマルチ画面の作成を行う
３．再生中にインデックスの記録とマルチ画面の作成を行う
があり、そのうち第２の手順におけるマルチ画面の作成方法は公知であり、それ以外の説明を図２５で共通に行う。
【０１３３】
第１の手順はマルチ画面を記録信号から作成するので再生信号から作る場合よりも画像の質が良く、マルチ画面の作成に余分な時間が必要ないことが利点であり、第２の手順ではインデックスの有無及び場所を確認した後マルチ画面を作成することが可能でありプログラムの内容が不明な場合に都合が良く、第３の手順では複数回に渡って記録されたプログラムから１つのマルチ画面を作る場合に適する。
【０１３４】
これらは使用者が適宜選択できるものとし、この選択に応じてスイッチ８７でマルチ画面のソース信号を記録信号とするか再生信号とするかを切り替える。マルチ画面を作る場合、そのマルチ画面の子画面数Ｎｍａｘは所定とし、まず書き込みを行う子画面の順序番号カウンタの値Ｎを１とする（Ｓ３１）。次に記録または再生を行い（Ｓ３２）、画像信号メモリ回路７９に入力される信号をメモリの第Ｎ子画面に記憶する（Ｓ３３）。
【０１３５】
画像信号メモリ回路７９のメモリに記憶された第Ｎ子画面のデータは次の画像フレームのタイミングに合わせて画像相関検出回路９７に出力される。画像相関検出回路９７はメモリ入力切り替えスイッチ８７からの信号と画像信号メモリ回路７９からの信号のテレビ画面上の同一画素信号の相関を求め（Ｓ３４）、その値を制御部９５に送る。制御部９５では画像相関検出回路９７から入力された画像の相関値が所定値ｂ以下であるか判定し（Ｓ３５）、以下の場合テープにインデックスを記録する、及び／または続く画像信号をメモリの第Ｎ子画面に記憶し（Ｓ３６）、子画面の順序番号カウンタＮに１を加え（Ｓ３７）、そのときのカウンタ値がＮｍａｘより大きいか判定する（Ｓ３８）。
【０１３６】
大きくない場合はテープエンドか判定し（Ｓ３９）、エンドでない場合、記録または再生の終了操作がされたか判定し（Ｓ４０）、されていない場合は前記Ｓ３３に移行しマルチ画面の作成が継続される。Ｓ４０で終了操作がされている場合と、前記Ｓ３８でカウンタ値がＮｍａｘより大きい場合、前記Ｓ３９でテープエンドの場合はテープ走行を停止し（Ｓ４１）、マルチ画面の作成を終了する。
【０１３７】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばテープ始端部に記録することで何度でも再生して利用できる。マルチ画面表示からプログラムの検索を行うには、公知の方法、例えば番号表示のある画面を指定するとテープ始端から数えてその番号の順番のインデックスまで高速走行を行うことで容易に行える。
【０１３８】
以上説明を行った実施例８の磁気記録再生装置の表示画面は、実施例６の磁気記録再生装置の表示画面である図２１と同様であり、その構成、機能の説明も同様である。
【０１３９】
実施例９．
実施例９の磁気記録再生装置の構成は図２６に示されるもので、テープに記録を行うときは記録信号選択スイッチ８５により入力信号が外部入力端子９１からの信号であるか、テレビ放送用の受信回路９２からの信号であるか、画像信号メモリ回路７９からの出力信号がスイッチ８６を通りスーパーインポーズ回路９３を経た信号であるかを選択し、その出力が記録回路８２に入力され、ここで磁気テープに記録する信号に変換され録再切り替えスイッチ８３を通り、走行制御部７７のヘッドに供給されテープに記録される。制御部９５はモータドライブサーボ回路７６を制御して走行制御部７７のモーターを駆動しテープの記録走行を開始するとともにテープ走行の速度制御の基準信号であるコントロールパルスを発生する。
【０１４０】
プログラムデータメモリ回路９４のデータ及び制御部９５から随時発生するのインデックス信号はデータマルチプレクサ９６において時系列に多重され、コントロール記録信号処理回路７４にてコントロール信号にデューティーの変化として重畳され走行制御部７７のコントロールヘッドにてテープに記録される。ここで、プログラムデータメモリ回路９４のデータはカセットテープ番号、プログラム数、記録日時、放送チャンネル、分類、記録開始アドレス、文字コード等である。
【０１４１】
データマルチプレクサ９６はプログラムデータメモリ回路９４のデータの一部と制御部９５からのインデックス信号とを所定のフォーマットで時間多重する。また、メモリ入力切り替えスイッチ８７により選択された信号は画像信号メモリ回路７９に入力され、ここで記憶される。予約録画を行う場合は操作部７１で予約録画開始時刻、終了時刻、放送チャンネルを入力し、これらがプログラムデータメモリ回路９４に記憶される。これらのうち時刻データとタイマー回路９８の時刻とが制御部９５で比較され、一致すると所定の制御を行う。
【０１４２】
プログラムの記録中または再生中に制御部９５が検索を目的としたマルチ画面を作る手順は本発明に特徴的であるので、制御部９５の制御手順をフローチャートとして表記した図２７を併用し以下に詳述する。ここで、２つの手順、
１．記録中にインデックスの記録とマルチ画面の作成を行う
２．記録中にインデックスの記録を行い、再生時にインデックス位置の再生画像からマルチ画面の作成を行う
があり、そのうち第２の手順におけるマルチ画面の作成方法は公知であり、それ以外の説明を図２７で共通に行う。
【０１４３】
第１の手順はマルチ画面を記録信号から作成するので再生信号から作る場合よりも画像の質が良く、マルチ画面の作成に余分な時間が必要ないことが利点であり、第２の手順では画像信号メモリが揮発性の場合に好適である。これらは使用者が適宜選択できるものとし、この選択に応じてスイッチ８７でマルチ画面のソース信号を記録信号とするか再生信号とするかを切り替える。
【０１４４】
予約録画放送からマルチ画面を作る場合、予約録画開始時刻と終了時刻から予約録画時間を求め（Ｓ５１）、次に（予約録画時間÷マルチ画面の子画面数）を求めこれを周期Ｔとする（Ｓ５２）。録画開始時刻まで時間待をした後（Ｓ５３）、録画を開始し（Ｓ５４）、インデックスを記録する及び／または画像信号をメモリの未記憶部にに縮小記億する（Ｓ５５）。
【０１４５】
ここで、ｔを出力とするタイマの出力をリセットしタイマーの動作を開始し（Ｓ５６）、ｔが前記Ｔと比較され（Ｓ５７）、それ以上になれば前記Ｓ５５に移行することで等間隔のインデックス及び／またはマルチ画面が構成される。ｔが前記Ｔ未満のときは、画像メモリの未記憶部の有無が判定され（Ｓ５８）、未記憶部がある場合、予約録画の終了時刻になたったかどうかが判定され（Ｓ５９）、なっていない場合、記録テープの終端に成ったかどうかが判定され（Ｓ６０）、なっていない場合、前記Ｓ５７に移行する。Ｓ５８において未使用のメモリが無い場合と、Ｓ５９において予約録画の終了時刻になった場合、及びＳ６０においてテープの終端になった場合は録画を終了する（Ｓ６１）。
【０１４６】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばテープ始端部に記録することで何度でも再生して利用できる。マルチ画面表示からプログラムの検索を行うには、公知の方法、例えば番号表示のある画面を指定するとテープ始端から数えてその番号の順番のインデックスまで高速走行を行うことで容易に行える。
【０１４７】
以上説明を行った実施例９の磁気記録再生装置の表示画面は、実施例６の磁気記録再生装置の表示画面である図２１と同様であり、その構成、機能の説明も同様である。
【０１４８】
実施例１０．
実施例１０の磁気記録再生装置の構成は、図２６に示される実施例９と同一であるので、同一機能の構成要素の説明は省略し、以下で機能が異なる構成要素の説明を行う。制御部９５はプログラムの記録を開始した直後にインデックス信号を発生しデータマルチプレクサ９６に送り、これをプログラムデータメモリ回路９４からのカセット番号等のデータと時間多重したた後コントロール記録信号処理回路７４に入力しコントロール記録信号に変換し磁気テープに記録する。以上の方法で、プログラムの頭部にだけインデックスの記録されたテープができる。プログラムの再生中に制御部９５がマルチ画面を作るが、この手順は本発明に特徴的であるので、制御部９５の制御手順をフローチャートとして表記した図２８を併用し以下に詳述する。
【０１４９】
記録済みのテープは巻戻され（Ｓ７１）、テープの始端またはプログラムの頭部を検知する（Ｓ７２）。プログラムの頭部を検知するか、あるいはテープ始端を検知するかは選択可能とする。ここで、プログラムの頭部はインデックスにより検知を行う。検知された場合は、高速走行を行い（Ｓ７３）、コントロール信号のカウントを行い（Ｓ７４）、プログラムの終端を検知する（Ｓ７５）。終端を検知すると停止し（Ｓ７６）、前記コントロール信号の積算カウント値Ｍをマルチ画面の子画面数Ｎｍａｘで除した商Ｔを求める（Ｓ７７）、書き込み子画面番号カウンタＮをＮｍａｘに設定し（Ｓ７８）、テープの巻き戻しを行い（Ｓ７９）、同時にコントロール信号のカウントを行い（Ｓ８０）、カウント値と前記Ｔを比較する（Ｓ８１）。
【０１５０】
ここでカウント値がＴ以上になったときインデックスを記録する及び／または再生画像を間引いて画像信号メモリの第Ｎ子画面に記憶し（Ｓ８２）、前記Ｎを１減じコントロール信号カウント値をリセットする（Ｓ８３）。Ｎの値が０か否かを判定し（Ｓ８４）、０でないとき、テープの始端またはプログラムの頭部か検知し（Ｓ８５）、検知できなければ前述のＳ７９に移行する。Ｓ８４においてＮが０のとき、及びＳ８５において検知がされたときはテープ走行を停止し（Ｓ８６）、マルチ画面の作成を終了する。
【０１５１】
前記Ｓ８２において以下の２つのケース、
１．インデックスを記録すると同時にマルチ画面を記憶する
２．マルチ画面を記憶する
がある。第１のケースは例えば複数のプログラムのうち特定のものの内容を確認し検索したい場合に適し、あるいは記録内容が不明でインデックスも記録されていないテープの場合にも好適でテープの内容を一覧し検索できるマルチ画面が作成できる。第２のケースは特定のプログラムについて検索は行わず内容の確認だけを行う場合に適し、不要なインデックスを記録することが無い。これらは適宜選択使用するものとする。
【０１５２】
以上の手順で作成されたマルチ画面は、画像信号メモリ回路７９のデータが不揮発性の場合は装置の電源のオン、オフを行っても直ちに表示し検索に使用できるので便利であり、揮発性の場合もこれを例えばプログラム始端部に記録することで何度でも再生して利用できる。マルチ画面表示からプログラムの検索を行うには、公知の方法、例えば番号表示のある画面を指定するとプログラム始端から数えて、その番号の順番のインデックスまで高速走行を行うことで容易に行える。
【０１５３】
以上説明を行った実施例１０の磁気記録再生装置の表示画面は、実施例６の磁気記録再生装置の表示画面である図２１と同様であり、その構成、機能の説明も同様である。
【０１５４】
実施例１１．
実施例１１の磁気記録再生装置の構成は、図２６に示される実施例９と同一であるので、同一機能の構成要素の説明は省略し、以下で機能が異なる構成要素の説明を行う。予約録画を行うときには操作部７１で予約録画開始時刻、終了時刻、放送チャンネルを入力し、これらがプログラムデータメモリ回路９４に記憶される。予約録画において制御部９５が検索を目的としたマルチ画面を作る手順は本発明に特徴的であるので、制御部９５の制御手順をフローチャートとして表記した図２９を併用し以下に詳述する。
【０１５５】
まず、マルチ画面を記憶する時間周期Ｔを設定し、マルチ画面の子画面カウンタＮを１に設定する（Ｓ９１）。予約録画開始時刻と終了時刻から予約録画時間をもとめ（Ｓ９２）、次に（予約録画時間÷時間周期Ｔ）を求めこれをＬとする（Ｓ９３）。Ｌの整数部はマルチ画面の記憶回数を示す。さらに、Ｌ≦Ｎｍａｘなる最小のＮｍａｘを選択する（Ｓ９４）。ここで、Ｎｍａｘは図３０に示す様な子画面の場合それぞれ４，９，１６の値をとる。前記Ｌが例えば１２．４となった場合はＮｍａｘは１６が選択され図３０（ｃ）のマルチ画面が作成されることになる。録画開始時刻まで時間待をした後（Ｓ９５）、録画を開始し（Ｓ９６）、インデックスを記録する及び／または画像信号をメモリの第Ｎ子画面に縮小記億する（Ｓ９７）。
【０１５６】
ここで、ｔを出力とするタイマの出力をリセットしタイマーの動作を開始し（Ｓ９８）、子画面カウンタＮを１増加する（Ｓ９９）。タイマ値ｔが時間周期Ｔと比較され（Ｓ１００）、それ以上になれば前記Ｓ９７に移行することで等間隔のインデックス及び／またはマルチ画面が構成される。ｔがＴ未満のときは、子画面カウンタ値ＮがＮｍａｘと比較され（Ｓ１０１）、Ｎ≦Ｎｍａｘの場合、予約録画の終了時刻になたったかどうかが判定され（Ｓ１０２）、なっていない場合、記録テープの終端になったかどうかが判定され（Ｓ１０３）、なっていない場合、前記Ｓ１００に移行する。Ｓ１０１においてＮ＞Ｎｍａｘの場合と、Ｓ１０２において予約録画の終了時刻になった場合、及びＳ１０３においてテープの終端になった場合は予約録画を終了する（Ｓ１０４）。
【０１５７】
前記Ｓ９７において以下の２つのケース、
１．インデックスを記録すると同時にマルチ画面を記憶する
２．マルチ画面を記憶する
がある。第１のケースは例えば予約録画のプログラムのうち特定のものの内容を確認し検索したい場合に適し、第２のケースは予約録画プログラムについて検索は行わず内容の一覧確認だけを行う場合に適し、不要なインデックスを記録することが無い。これらは適宜選択使用するものとする。
【０１５８】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばプログラム始端部に記録することにより何度でも再生して利用できる。マルチ画面表示からプログラムの検索を行うには、公知の方法、例えば番号表示のある画面を指定するとプログラム始端から数えてその番号の順番のインデックスまで高速走行を行うことで容易に行える。
【０１５９】
以上説明を行った実施例１１の磁気記録再生装置の表示画面は、図３０に示すように予約録画するプログラムの長さ及びマルチ画面の記録周期Ｔに応じてその子画面数が変化する。このため、子画面の数が一定の場合と比較して未使用のマルチ画面の数を少なくできるのでテレビ画面が有効利用できるうえ、記憶画面の数が少ない場合は子画面のサイズを大きくできるので内容の確認が容易となる長所がある。
【０１６０】
実施例１２．
実施例１２の磁気記録再生装置の構成は、図２６に示される実施例９と同一であるので、同一機能の構成要素の説明は省略し、以下で機能が異なる構成要素の説明を行う。制御部９５はプログラムの記録を開始した直後にインデックス信号を発生しデータマルチプレクサ９６に送り、これをプログラムデータメモリ回路９４からのカセット番号等のデータと時間多重したた後コントロール記録信号処理回路７４に入力しコントロール記録信号に変換し磁気テープに記録する。以上の方法で、プログラムの頭部にだけインデックスの記録されたテープができる。プログラムの再生中に制御部９５がマルチ画面を作るが、この手順は本発明に特徴的であるので、制御部９５の制御手順をフローチャートとして表記した図３１を併用し以下に詳述する。
【０１６１】
まず、マルチ画面を記憶する時間周期Ｔを設定し（Ｓ１１１）、テープの巻戻しを行い（Ｓ１１２）、テープの始端又はプログラムの頭部を検知する（Ｓ１１３）。プログラムの頭部を検知するかテープ始端を検知するかは選択可能とする。ここでプログラムの頭部はインデックスにより検知を行う。検知された場合は、コントロールパルスカウンタをリセットし（Ｓ１１４）、高速走行を行い（Ｓ１１５）、コントロール信号のカウントを行い（Ｓ１１６）、プログラムの終端を検知する（Ｓ１１７）。終端を検知すると停止し（Ｓ１１８）、前記コントロール信号のカウント値からプログラム時間を求め（Ｓ１１９）、次に（プログラム時間÷時間周期Ｔ）を求めこれをＬとする（Ｓ１２０）。Ｌの整数部はマルチ画面の記憶回数を示す。
【０１６２】
さらに、Ｌ≦Ｎｍａｘなる最小のＮｍａｘを選択する（Ｓ１２１）。ここで、Ｎｍａｘは図３０に示す様な子画面の場合それぞれ４，９，１６の値をとる。前記Ｌが例えば１２．４となった場合はＮｍａｘは１６が選択され図３０（ｃ）のマルチ画面が作成されることになる。続いてマルチ画面の子画面カウンタＮがＬの整数部、この例では１２に設定され（Ｓ１２２）、コントロールパルスカウンタをリセットし（Ｓ１２３）、テープの巻戻しを行い（Ｓ１２４）、テープ始端又はプログラム頭部を検出し（Ｓ１２５）、検出しなければコントロール信号をカウントしその値から巻戻し時間を求め（Ｓ１２６）、巻戻し時間が時間周期Ｔ以上か判定し（Ｓ１２７）、Ｔ以上ならインデックスを記録する及び／または画像信号をメモリの第Ｎ子画面に縮小記億する（Ｓ１２８）。続いて子画面カウンタＮを１減少しる（Ｓ１２９）、コントロール信号のカウント値をリセットし（Ｓ１３０）、子画面カウンタＮの値が０か判定し（Ｓ１３１）、０でない場合、前記Ｓ１２４に移行する。前記Ｓ１２５でテープ始端又はプログラム頭部を検出するか、前記Ｓ１３１で小画面カウンタが０の場合は装置を停止し（Ｓ１３２）、マルチ画面の作成を終了する。
【０１６３】
前記Ｓ１２８において以下の２つのケース、
１．インデックスを記録すると同時にマルチ画面を記憶する
２．マルチ画面を記憶する
がある。第１のケースは例えば記録された複数のプログラムのうち特定のものの内容を確認し検索したい場合に適し、第２のケースは検索は行わず内容の一覧確認だけを行う場合に適し、不要なインデックスを記録することが無い。これらは適宜選択使用するものとする。
【０１６４】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばプログラム頭部に記録することで何度でも再生して利用できる。マルチ画面表示からプログラムの検索を行うには、公知の方法、例えば番号表示のある画面を指定するとプログラム頭部から数えてその番号の順番のインデックスまで高速走行を行うことで容易に行える。
【０１６５】
以上説明を行った実施例１２の磁気記録再生装置の表示画面は、図３０に示すように予約録画するプログラムの長さ及びマルチ画面の記録周期Ｔに応じてその子画面数が変化する。このため、子画面の数が一定の場合と比較して未使用のマルチ画面の数を少なくできるのでテレビ画面が有効利用できるうえ、記憶画面の数が少ない場合は子画面のサイズを大きくできるので内容の確認が容易となる長所がある。
【０１６６】
実施例１３．
実施例１３の磁気記録再生装置は、前述の実施例６〜１２の磁気記録再生装置の何れかにおいて、予約録画機能を有し、録画予約の終了後に各磁気記録再生装置の各々の制御部９５のマルチ画面作成手順のうち再生時に行うものを自動実行するものであり、その構成は各々の実施例の説明に用いた図１９，図２２、図２４又は図２６に示されるものである。以下実施例として図１９を用い、実施例１３を実施例６に適用した場合において説明するが、実施例６と同一機能の構成要素の説明は省略し、以下で機能が異なる構成要素の説明を行う。制御部９５が検索を目的としたマルチ画面を作る手順は本実施例に特徴的であるので、制御部９５の制御手順をフローチャートとして表記した図３２を併用し以下に詳述する。
【０１６７】
制御部９５は予約録画を行う際にテープが記録走行を開始した直後にインデックス信号を発生する。プログラムデータメモリ回路９４のデータ及び制御部９５から発生するインデックス信号はデータマルチプレクサ９６において時系列に多重され、コントロール記録信号処理回路７４にてコントロール信号にデューティーの変化として重畳され走行制御部７７のコントロールヘッドにてテープに記録される。
【０１６８】
以上の動作は実施例６の磁気記録再生装置と同一であり、これらの制御部９５の予約録画時の一連の制御手順を図３２においてＳ１４１と表示する。次に予約録画の終了の検知を行い（Ｓ１４２）、検知されると、通常は装置の電源がオフされるが、本発明ではオフすることなくＳ１４３に移行する。ここでＳ１４３は再生信号からマルチ画面を作成する手順で、この例では実施例６における制御部９５の制御動作として図２０に示したフローが含まれる。
【０１６９】
これらが終了した後、装置の電源がオフされる（Ｓ１４４）。複数の予約録画が行われる場合は最後の予約録画が終了した場合に前記Ｓ１４３に移行する。このＳ１４３は実施例６においては装置が予約録画以外の通常の使用時に使用者が装置に対しマルチ画面の作成の指示を行うことで実行されていたもので、このためマルチ画面が作成されるまでの待ち時間が必要であったが、本実施例によれば装置の電源をオンし通常の使用を開始したときにはマルチ画面の作成が完了しているので前記待ち時間が無用となる。
【０１７０】
以上の手順で作成されたマルチ画面は、画像信号メモリ回路７９のデータが不揮発性の場合は装置の電源のオフ、オンを行っても直ちに表示し検索に使用できるので便利であり、揮発性の場合もこれを例えばテープ始端部に記録することで何度でも再生して利用できる。マルチ画面表示からプログラムの検索を行うには、公知の方法、例えば番号表示のある画面を指定するとテープ始端から数えてその番号の順番のインデックスまで高速走行を行うことで容易に行える。
【０１７１】
以上のように実施例６〜１３によれば、プログラムの検索に用いるマルチ画面の子画面が自動的に選択記憶されるので、プログラムを再生し内容を確認しながらインデックスを手動で打ち込むという面倒な作業が省略できる。また本発明のなかで記録時にマルチ画面を作る手順をとった場合は再生信号からマルチ画面を作る場合よりもマルチ画面の画像劣化が少ないことが利点であり、本発明のなかで予約録画の後の待機時間にマルチ画面を作る手順をとった場合はマルチ画面を作成する際の待ち時間が無くなり、以上の結果として使い勝手の良い磁気記録再生装置が得られる。
【０１７２】
なお、実施例６〜１３では、コントロールトラックを有するビデオテープレコーダに適用した例について説明したが、インデックス信号の記録再生が可能なビデオテープレコーダであれば適用することができ、また画像信号及びインデックス信号の記録方法も各々デジタルとアナログとのどちらでも良いので、これらの例に限定されるものではない。
【０１７３】
実施例１４．
実施例１４を実施する場合に記録媒体への画像信号とインデックスの記録方法は各々アナログとデジタルのいずれでも良いので、デジタルビデオテープレコーダにもアナログビデオテープレコーダにも同様に適用できる。図３３はコントロールトラックを有するアナログビデオテープレコーダに適用した場合の装置のブロック図である。
【０１７４】
図３３において、記録を行う場合、テレビ放送用の受信回路１２１から受信信号が出力されスイッチ１１４を通り記録回路１２２に入力され、ここで磁気テープに記録する信号に変換されて出力されスイッチ１１５を通って走行機構部１０７のビデオヘッドでテープに記録される。記録の開始時にはシステム制御部１０２がコントロール信号処理部１２３にプログラム検索のためのインデックス信号の書き込み信号を出力し、これを入力したコントロール信号処理部１２３がコントロール信号のデューティー比を変化することでコントロール信号にインデックス信号を重畳して走行機構部１０７に出力し、走行機構部１０７のコントロールヘッドでテープに記録する。コントロール信号処理部１２３においてはテープ始端からのコントロールパルスの積算数をシステム制御部１０２に出力し、これを入力したシステム制御部１０２はアドレス値に変換しプログラム開始位置のアドレスデータとしてプログラムの番号と対応させてデータメモリ１２４に記憶する。
【０１７５】
プログラムの記録中は、操作部１０１の操作によりテープ走行の一次停止が行われた場合、あるいはインデックス記録の操作が行われるとシステム制御部１０２がコントロール信号処理部１２３にサブインデックス書き込み信号を出力し、サブインデックス信号が記録される。この場合はサブインデックスを記録したアドレス値はデータメモリには記録しない。各プログラムの途中に記録されたサブインデックスの数はシステム制御部１０２でカウントしプログラムの記録が終了した時点でデータメモリ１２４にプログラム番号と対応して記憶する。
【０１７６】
図３４（ａ）はデータメモリ１２４のデータ項目の一部を示したもので、記録を行ったカセットのデータ領域にカセットについてのデータ項目領域１６２と、プログラムについてのデータ項目領域１６３とがあり、プログラムデータ項目１６３はプログラム番号に対応するメモリアドレス１６４で管理される。図３４（ｂ）は１８番の番号が付けられたカセットに７つのプログラムを記録したときのデータの例であり、アドレスには４桁の数値が、サブインデックス数には各プログラムの中のサブインデックスの数値が記憶されている。第８のプログラム以降のデータは無いので初期化されたままであり、カセットデータのプログラム数が７であることからも検索等のデータに使用しない。データメモリ１２４はこれと同様な領域を装置が管理を行うカセットの本数だけ有する。
【０１７７】
プログラムを記録したカセットのインデックス信号の記録位置から検索を目的とする画面を作る場合、図３３において操作部１０１からの指示信号がシステム制御部１０２に入力され、テープは始端から高速走行モードで走行するとともに、コントロール信号処理部１２３はコントロール信号を再生し、テープ始端からのコントロールパルスの積算数をシステム制御部１０２に出力する。システム制御部１０２は走行中のアドレスを計算するとともに、データメモリ１２４のデータのうち第１のプログラムの開始アドレスを読みだし、両者の差が所定の値以下になるとテープの走行速度を低下する。テープの走行速度が低下すると、コントロール信号処理部１２３は再生コントロール信号のデュティー比を判別しインデックス信号を検出しシステム制御部１０２に出力する。
【０１７８】
プログラムの開始部のインデックスが検出されると、システム制御部１０２は装置を再生状態とする。走行機構部１０７のビデオヘッドで信号を再生してスイッチ１１５を通し、再生回路１０５に入力し画像信号に変換されて出力してスイッチ１１６を通し、文字発生表示部１２５に入力する。ここでは文字は付加されずに出力され装置の信号出力端子１２６からテレビ受像機１０８に入力するとともにスイッチ１１７を通し画像信号メモリ１０９に入力する。システム制御部１０２からの書き込み信号により、メモリ制御回路１１０は１画面分のインデックス位置の画像信号データを記憶するよう画像信号メモリ１０９を制御する。
【０１７９】
画像信号メモリ１０９へ画像を記憶すると、システム制御部１０２はテープを始端まで巻戻し、装置を記録モードとする。画像信号メモリ１０９のデータを読み出し画像信号として出力しスイッチ１１６を通り文字発生表示部１２５を通過しスイッチ１１４を通り記録回路１２２に入力する。システム制御部１０２は走行機構部１０７のテープを短時間だけ走行させるることで第１のプログラムの検索を行うための画像をテープ始端部に記録するとともにインデックスを記録する。
【０１８０】
図３５（ａ）はこのときテープに記録する画像を示したものでテレビ画面枠１３１の中に第１のプログラムのインデックス記録位置の画像１３２を表示している。以降のプログラムの検索を行うための画像も同様にテープ始端に記録する。ここで画像１３２の外側の部分は平坦信号であり、画像信号メモリ１０９から一定データを読み出すことで付加する。
【０１８１】
図３６（ａ）は以上の手順でプログラムの記録と検索用画像の記録を行ったテープの各記録領域を示したもので、磁気テープ１５１の始端に検索用画像領域１５２があり、それ以後に第１プログラム記録領域１５３、第２プログラム記録領域１５４、等がある。第１プログラムのコントロールトラックには、最初にインデックスＩ１があり、途中に３つのインデックスＪ１、Ｊ２及びＪ３がある。第２のプログラム以降のコントロールトラックにも同様にインデックスがある。
【０１８２】
図３６（ｂ）は検索用画像領域１５２の拡大図である。リーダーテープ１５０直後のマージン１５２０の後プログラム１の検索用画像１５２１とインデックスＩ１があり、次にプログラム２の検索用画像１５２２とインデックスＩ２がある。以下のプログラムについても同様であるがプログラム７の検索用画像１５２４とインデックスＩ７のあとは未記録のプログラムのための記録領域１５２５がある。
【０１８３】
プログラムの検索を行う場合は、図３３において文字発生表示部１２５を制御する制御部１２７の制御動作が本実施例に特徴的である。従って、制御部１２７の説明を行う前に、その動作に関連する文字発生表示部１２５の構成例を説明し、その後に制御部１２７の説明を行う。
【０１８４】
図３７は文字発生表示部１２５の構成例であり、入力端子１７１から入力された画像信号は同期制御回路１７２及びアナログスイッチ１６８に入力する。同期制御回路１７２は画像信号から水平同期及び垂直同期を分離し各々水平位置カウンタ１７３及び垂直位置カウンタ１７４に入力する。ドットクロック発生器１７５は文字を画面表示する際の時間基準クロックを発生して水平位置カウンタ１７３に入力する。水平位置カウンタ１７３のカウンタは水平同期でリセットされ時間基準クロックでカウント動作を行い、カウント値を表示位置検出器１７６及びビデオＲＡＭリードアドレス発生部１７７に入力する。
【０１８５】
垂直位置カウンタ１７４は画像信号の走査線に対応するカウント値を出力して表示位置検出器１７６及びビデオＲＡＭリードアドレス発生部１７７に入力する。ビデオＲＡＭリードアドレス発生部１７７はビデオＲＡＭ１７８のリードアドレスを発生しアクセス制御部１７９に入力する。
【０１８６】
図３８はビデオＲＡＭ１７８のメモリ配置を示したもので行１９１及び列１９２に対応する記憶単位を持ち、各々の記憶単位１９３には文字の指定コードが記憶される。文字の指定コードは文字ＲＯＭ１８０のデータ配列を示す図３９においてアドレスの行１９４と列１９５との数字で指定し、例えば“画”という文字は“６−１”と表されビデオＲＡＭ１７８の第１行、第９列に記憶される。文字ＲＯＭ１８０のデータは各文字が例えば１６×１６ドットの２値化データで構成され、文字１９６、ブランク（無表示）１９７、選択記号１９８、あるいはスケール記号１９９等が記憶されている。表示位置検出器１７６は垂直位置カウンタ１７４からの走査線数と水平位置カウンタ１７３からの水平位置カウント値を入力し文字ＲＯＭ１８０の各文字領域内での読み出しドットアドレスを指定する。
【０１８７】
文字ＲＯＭアクセス制御部１８１は、ビデオＲＡＭ１７８から入力する文字コードの番地の文字ＲＯＭの文字のデータのうち、表示位置検出器１７６から入力するドットアドレスのデータを、ドットクロック発生器１７５から入力するドットクロックのタイミングで読み出し、アナログスイッチ１６８に入力する。アナログスイッチ１６８は、入力端子１７１から入力する画像信号の一部を、文字ＲＯＭアクセス制御部１８１から入力する文字データに応じて黒又は白レベルの信号に切り替えることで文字表示し、出力端子１８２に出力する。
【０１８８】
表示文字の設定及び変更は外部の制御手段からの指令で行う。一つの文字を表示設定する場合を例にとると、外部の制御手段からのシリアルデータを端子１８３を通してシリアル／パラレル変換器１８４に入力し、ここでパラレルデータに変換してラッチ１８５に出力し、ラッチ１８５は所定数のデータを一括してデータバス１８６に出力すると共に、特定のビットデータをコマンドデコーダ１８７に出力する。コマンドデコーダ１８７はデータの転送先，外部制御手段の命令を復号し制御バス１８８に出力する。
【０１８９】
制御バス１８８からの信号をうけてビデオＲＡＭライトアドレス発生部１８９はデータバス１８６からビデオＲＡＭアドレスを入力しこれをアドレスカウンタ１９０及びアクセス制御部１７９に出力し、これを入力したアドレスカウンタ１９０はアドレスを記憶保持し、アクセス制御部１７９はビデオＲＡＭ１７８の文字アドレスを書き込み状態とする。この時データバス１８６からはビデオＲＡＭ１７８に文字コードデータが入力し所定のアドレスに記憶する。
【０１９０】
図４０は画面表示の文字の設定及び変更を行う場合のシリアルデータの一部を示したもので、図中の２０１は図３８において第１行の“画面目次”及び第２行のカーソル及び“１”を表示するための一連のデータを示し、２０２は図３８の第２行、第１列の記号を消去して第２行第６列にカーソルを表示するためのデータである。ここで文字の消去はビデオＲＡＭの文字データに無表示を表す“３−５”を記憶することで行う。図３８において、カーソルは１２ヶ所表示されているが、実際は択一的に表示し２０２の手順で表示場所を移動する。
【０１９１】
プログラムの検索を行う場合、制御部１２７が画面表示の制御を行うと共にシステム制御部１０２に指示信号を出力し、一方システム制御部１０２はこれを入力し装置の制御を行い操作部１０１からのキー入力信号，コントロール信号処理部１２３からのデータを入力し制御部１２７に出力する。
【０１９２】
図４１は本実施例における制御部１２７の制御フローを示すフローチャートであり、カセットを装置に装着するとカセット番号を読み取る（Ｓ２０１）。ここでカセット番号はコントロール信号に重畳記録する等の公知の方法を用いる。制御部１２７はカセット番号のデータを基にデータメモリの該カセット番号の領域のデータを読み出し（Ｓ２０２）、カーソルの移動可能な場所を求める。図３４（ｂ）はデータメモリ１２４のデータ例で、カセット番号が１８、プログラム数が７、第３プログラムのサブインデックス数は３である等が記憶されている。このデータから制御部１２７はカーソルの移動可能な画面上の位置を求める（Ｓ２０３）。
【０１９３】
文字発生表示部１２５のビデオＲＡＭの構成を示す図３８において、プログラム数が７の場合のカーソルの移動可能な場所は行列の座標で表現すると、２−１、２−６、２−１１、２−１６、５−１、５−６、５−１１の７ヶ所である。この座標値を後述するカーソル位置カウンタの値に応じて択一的にカーソルの表示に用いる。ここで図３８の文字表示は図４２（ａ）のマルチ画面表示に対応する。画面表示が図３５（ａ）の場合は図３５（ｂ）の文字表示とし、カーソルの移動可能な場所は座標値が第１２行で、列はサブインデックス数に応じて変化する。
【０１９４】
制御部１２７はテープの始端部を再生し複数の検索用画面からマルチ画面を作るようシステム制御部１０２に指示信号を出力する（Ｓ２０４）。これを入力したシステム制御部１０２は図３６（ｂ）に示すテープ始端部の領域１５２１に記録された第１プログラムの検索用画面を再生する。再生信号は再生回路１０５から出力しスイッチ１１６、文字発生表示部１２５、スイッチ１１７、を通過し画像信号メモリ１０９に縮小記憶する。画像信号メモリ１０９のデータは例えば第４プログラムの場合図４２（ａ）の画面領域１４１に対応するアドレスに記憶する。
【０１９５】
また第８プログラムはこのテープに記録されていないので図４２（ａ）の画面領域１４２及びハッチングが無い領域は青色等の平面表示とする。第７プログラムの検索用画面を再生し画像信号メモリ１０９に記憶すると、マルチ画面の作成が終了し画像信号メモリ１０９は信号を出力し、スイッチ１１６を通り、文字発生表示部１２５に入力する（Ｓ２０５）。
【０１９６】
制御部１２７はカーソル位置カウンタの値を初期値１に設定し（Ｓ２０６）、文字発生表示部１２５を制御して図４２（ｂ）に示す文字表示を入力したマルチ画面に重畳する。図４２（ｂ）において文字１４３はマルチ画面の説明文字、破線１４４は文字を重畳するマルチ画面の画枠の想定線、カーソル１４５は図中“６”の左にあるが初期状態は“１”の左にある。文字発生表示部１２５は図４２（ａ）に図４２（ｂ）が重畳した図４２（ｃ）の画像信号を出力し装置の出力端子１２６を通り、ＴＶ受像機１０８に表示する（Ｓ２０７）。
【０１９７】
ＴＶ受像機１０８の表示を確認することでカセット番号１８の中には７つのプログラムは記録されていることが直ちに分かる。マルチ画面を確認し再生を行いたい子画面の上にカーソルを移動する（Ｓ３００）。このカーソル移動手段は各種使用できるが例えば図４３（ａ）に示す左右移動キー、あるいは図４３（ｂ）に示す上下左右移動キー、既存の受信チャンネル変更キーを兼用する、その他ジョイスティック、マウス等でも良くこれらの選択に応じてＳ３００の内部のフロー図は変更する。また、これらカーソル移動手段は操作部１０１または、遠隔操作部（図示せず）等に設ける。図４３（ａ）のキーの場合はカーソル右移動キー１４６が押されたか判定し（Ｓ３０１）、押されていればカーソルカウンタに１を加える（Ｓ３０２）。次にカーソル左移動キー１４７が押されたか判定し（Ｓ３０３）、押されていればカーソルカウンタから１を減じる（Ｓ３０４）。
【０１９８】
カーソルを移動し画面を選択することで検索が行える。図４２（ｃ）は第６プログラムを選択した状態であり、ここで検索キーが押されたか判定し（Ｓ３０５）、押されていればインデックス位置の検索を行い（Ｓ２０８）、再生する（Ｓ２０９）。検索の実行キーは専用のボタンでも、再生ボタンと兼用しても良く、あるいは左右の移動ボタンの同時押し等でもよい。再生を行い希望のプログラムを確認できると装置を停止するか判定し（Ｓ２１０）、停止ならば再生を中止する。
【０１９９】
検索キーの入力判定Ｓ３０５において、検索キーが入力されず画面変更キーの入力判定Ｓ２１１において、画面変更キーが押されると図３５（ａ）に示すプログラムの検索画面をマルチ画面ではない一つのプログラム画面で表示する（Ｓ２１２）。図３５（ａ）は図４２（ｃ）において第３プログラムをカーソルで選択した後、画面変更キーを押した場合の表示である。ここで表示する画像信号はテープ始端部の第３プログラムの検索用画面１５２３を再生し一時停止モードで表示する。
【０２００】
文字発生表示部１２５は図３５（ｂ）に示す画面に変更し、プログラム番号の３を示す表示、サブインデックス数が３であることを示すスケール表示１３４、スケールの左右位置を選択するカーソル１３５を表示する。図中カーソルはスケールの途中にあるが、初期値は１（１番めのサブインデックス）位置とし（Ｓ２０６）、画像と文字を重畳した図３５（ｃ）の画面がＴＶ受像機１０８に表示される（Ｓ２０７）。
【０２０１】
図３５（ｃ）の画面表示のカーソル１３５を左右移動キーで移動することで第３プログラムの中のサブインデックスを選択し（Ｓ３００）、検索する（Ｓ２０８）。図中スケール１３４に４ヶ所のマークがあるが画面左からプログラムインデックスＩ３、第１サブインデックスＪ１、第２サブインデックスＪ２、第３サブインデックスＪ３に対応し、この位置にカーソルを移動することで、図３６（ａ）に示す領域１５５内の対応するインデックス位置の検索を行う。サブインデックスの検索を行う場合はプログラム最初のインデックス位置までアドレスによる高速検索を行い、これを検出後該プログラムの記録領域内部ではサブインデックスの検索を行う。
【０２０２】
以上のように本実施例１４によればテープに記録されたプログラムのインデックス記録位置の画像を検索を行うための画面として表示し、これにプログラム番号，サブインデックスの数のデータを重畳表示し、この画面上の選択記号を移動することでプログラム及びその中のサブインデックスを選択し検索及び再生する制御手段を設けたので、小数の簡単なボタン操作だけで見たいプログラムの見たい部分を見るという画像記録再生装置の基本操作が格段に容易となる。
【０２０３】
【発明の効果】
以上のように、本発明の第１の記録再生装置では、長時間の信号が記録可能なＶＴＲにおいて、テープの開始部からそのテープに記録された各プログラムを代表するビデオ、および音声信号と、付加データによる内容の確認、検索情報が得られるので書籍の目次と同様の大きな便益が得られる。
【０２０４】
本発明の第２の記録再生装置では、マルチ画面を使ってプログラム内容を一覧表示し、それを選択する事によってプログラムを検索するため操作性がよく、インデックス信号によって検索を行うため検索回路の回路規模が小さく、安価に構成できる。
【０２０５】
本発明の第３の記録再生装置では、第２の記録再生装置において、一度マルチ画面を生成すれば現在テープ上のどのプログラムの位置にいるかわかるようにしたので、テープ上のどのプログラムの位置からでも検索でき、また何回でも検索できるようにしたので操作性が向上する。
【０２０６】
本発明の第４の記録再生装置では、マルチ画面を使ってプログラム内容を一覧表示し、それを選択する事によってプログラムを検索するため操作性がよく、ＣＴＬ信号をカウントするリニアタイムカウンタによって検索を行うため、非常に高精度な検索を行えるうえ、ＣＴＬ信号をカウントするリニアタイムカウンタの値を用いて検索を行うので検索回路の回路規模が小さく安価に構成できる。
【０２０７】
本発明の第５の記録再生装置では、マルチ画面を使ってプログラム内容を一覧表示し、それを選択する事によってプログラムを検索するため操作性がよく、また、リニアタイムカウンタによってプログラムの近傍まで検索し、そのあとインデックス信号によって頭出しを行うので、高速検索時のインデックス信号の読みとばしやＣＴＬ信号の読みとばしによるリニアタイムカウンタのずれにたいしても影響が少なくなり、非常に高精度な検索を行える。また、各プログラムの冒頭のカウンタ値は近傍までの検索しか行わなくて良いのでカウンタ値を記憶する手段のメモリを節約する事ができる。またインデックス信号とＣＴＬ信号をカウントするリニアタイムカウンタの値を用いて検索を行うので検索回路の回路規模が小さく安価に構成できる。
【０２０８】
本発明の第６〜１３の記録再生装置では、プログラムの検索に用いるマルチ画面の子画面が自動的に選択記憶されるので、プログラムを再生し内容を確認しながらインデックスを手動で打ち込むという面倒な作業が省略できる。また本発明のなかで記録時にマルチ画面を作る手順をとった場合は再生信号からマルチ画面を作る場合よりもマルチ画面の画像劣化が少ないことが利点であり、本発明のなかで予約録画の後の待機時間にマルチ画面を作る手順をとった場合はマルチ画面を作成する際の待ち時間が無くなり、以上の結果として使い勝手が良い記録再生装置が得られる。
【０２０９】
本発明の第１４，　１５の記録再生装置では、テープに記録されたプログラムのインデックス記録位置の画像を検索を行うための画面として表示し、これにプログラム番号やサブインデックスの数のデータを重畳表示し、この画面上の選択記号を移動することでプログラムやその中のサブインデックスを選択し検索および再生する制御手段を設けたので、少数の簡単なボタン操作だけで見たいプログラムの見たい部分を見るという記録再生装置の基本操作が格段に容易となる。
【図面の簡単な説明】
【図１】従来例のテープフォーマットを示す図である。
【図２】従来例のテープフォーマットを示す図である。
【図３】従来の磁気記録再生装置のブロック図である。
【図４】従来の磁気記録再生装置を示すブロック図である。
【図５】従来の磁気記録再生装置のブロック図である。
【図６】従来のテレビ受像機での表示パターンを示す図である。
【図７】本発明の記録再生装置の回路ブロック図である。
【図８】本発明の記録再生装置の回路ブロック図である。
【図９】本発明の記録再生装置の回路ブロック図である。
【図１０】図７〜図９に示す記録再生装置の状態とテープフォーマットとスイッチの対応とを示す表である。
【図１１】図７〜図９に示す記録再生装置の状態とテープフォーマットとスイッチの対応とを示す表である。
【図１２】図７〜図９に示す記録再生装置のテープフォーマットを示す図である。
【図１３】図７〜図９に示す記録再生装置のテープフォーマットを示す図である。
【図１４】本発明の他の磁気記録再生装置のブロック図である。
【図１５】マルチ画面の表示例を示す図である。
【図１６】本発明の更に他の磁気記録再生装置のブロック図である。
【図１７】リニアタイムカウンタ記憶部の記憶内容の一例を示す図である。
【図１８】リニアタイムカウンタ記憶部の記憶内容の他の例を示す図である。
【図１９】本発明の更に他の磁気記録再生装置の構成を示すブロック図である。
【図２０】マルチ画面を作成する際の制御フローチャートである。
【図２１】画面を示す図である。
【図２２】本発明の更に他の磁気記録再生装置の構成を示すブロック図である。
【図２３】マルチ画面を作成する際の他の制御フローチャートである。
【図２４】本発明の更に他の磁気記録再生装置の構成を示すブロック図である。
【図２５】マルチ画面を作成する際の更に他の制御フローチャートである。
【図２６】本発明の更に他の磁気記録再生装置の構成を示すブロック図である。
【図２７】マルチ画面を作成する際の更に他の制御フローチャートである。
【図２８】マルチ画面を作成する際の更に他の制御フローチャートである。
【図２９】マルチ画面を作成する際の更に他の制御フローチャートである。
【図３０】マルチ画面を示す図である。
【図３１】マルチ画面を作成する際の更に他の制御フローチャートである。
【図３２】マルチ画面を作成する際の更に他の制御フローチャートである。
【図３３】本発明の更に他の磁気記録再生装置の構成を示すブロック図である。
【図３４】データメモリの記憶内容を示す図である。
【図３５】画面表示の一例を示す図である。
【図３６】記録パターンを示す図である。
【図３７】図３３における文字発生表示部の構成を示すブロック図である。
【図３８】図３７におけるビデオＲＡＭのデータ構成図である。
【図３９】図３７における文字ＲＯＭのデータ構成図である。
【図４０】図３３における制御部のシリアルデータの一例を示す図である。
【図４１】図３３における制御部の制御フローを示すフローチャートである。
【図４２】画面表示の他の例を示す図である。
【図４３】操作ボタンを示す図である。
【符号の説明】
２８　　フォーマット検出回路
３６　フォーマット切替回路
３８　フォーマット検出信号発生回路
５１　操作部
５２　制御部
５３　ＣＴＬ信号処理回路
５６　インデックス判別回路
５８　再生回路
５９　メモリ
６２　記録回路
６５　リニアタイムカウンタ表示部
６６　リニアタイムカウンタ記憶部
９３　スーパーインポーズ回路
９４　プログラムデータメモリ回路
９５　制御部
９７　画像相関検出回路
１０９　画像信号メモリ
１２４　データメモリ
１２５文字発生表示部
１２７制御部
【図１】
2004005996.tif 000003
【図２】
2004005996.tif 000004
【図３】
2004005996.tif 000005
【図４】
2004005996.tif 000006
【図５】
2004005996.tif 000007
【図６】
2004005996.tif 000008
【図７】
2004005996.tif 000009
【図８】
2004005996.tif 000010
【図９】
2004005996.tif 000011
【図１０】
2004005996.tif 000012
【図１１】
2004005996.tif 000013
【図１２】
2004005996.tif 000014
【図１３】
2004005996.tif 000015
【図１４】
2004005996.tif 000016
【図１５】
2004005996.tif 000017
【図１６】
2004005996.tif 000018
【図１７】
2004005996.tif 000019
【図１８】
2004005996.tif 000020
【図１９】
2004005996.tif 000021
【図２０】
2004005996.tif 000022
【図２１】
2004005996.tif 000023
【図２２】
2004005996.tif 000024
【図２３】
2004005996.tif 000025
【図２４】
2004005996.tif 000026
【図２５】
2004005996.tif 000027
【図２６】
2004005996.tif 000028
【図２７】
2004005996.tif 000029
【図２８】
2004005996.tif 000030
【図２９】
2004005996.tif 000031
【図３０】
2004005996.tif 000032
【図３１】
2004005996.tif 000033
【図３２】
2004005996.tif 000034
【図３３】
2004005996.tif 000035
【図３４】
2004005996.tif 000036
【図３５】
2004005996.tif 000037
【図３６】
2004005996.tif 000038
【図３７】
2004005996.tif 000039
【図３８】
2004005996.tif 000040
【図３９】
2004005996.tif 000041
【図４０】
2004005996.tif 000042
【図４１】
2004005996.tif 000043
【図４２】
2004005996.tif 000044
【図４３】
2004005996.tif 000045